(57)【要約】干渉（１０１０）が存在する状態における多重周波数バンドシステムの動作。各広帯域周波数サブバンドが異なる中心周波数を有する複数の広帯域周波数サブバンドにおいて、信号を受信する。各広帯域周波数サブバンドのバンド幅は、広帯域周波数サブバンドの中心周波数の少なくとも２パーセントである。広帯域周波数サブバンドのそれぞれのサブバンドの一部において、信号エネルギーを有する干渉信号（１０１０）を検出する。それぞれのサブバンドの使用の中止を決定する。シグナリングを送信する送信装置に、複数の広帯域周波数サブバンドのそれぞれのサブバンドを除くいずれかにおいて、その後のシグナリングを送信するように命令する。
2006503452.tif 000002
【特許請求の範囲】
【請求項１】
干渉の存在下での多重周波数バンドシステムにおける動作の方法であって、前記方法は、
複数の広帯域周波数サブバンドにおいてシグナリングを受信するステップであって、各広帯域周波数サブバンドは異なる中心周波数を有し、各広帯域周波数サブバンドのバンド幅は前記広帯域周波数サブバンドの中心周波数の少なくとも２パーセントであるステップと、
前記広帯域周波数サブバンドのそれぞれのサブバンドの一部において、信号エネルギーを有する干渉信号を検出するステップと、
前記それぞれのサブバンドの使用の中止を決定するステップと、
前記シグナリングを送信する送信装置に、前記複数の広帯域周波数サブバンドの前記それぞれのサブバンドを除くいずれかにおいて、後続のシグナリングを送信するように命令するステップとを備えることを特徴とする方法。
【請求項２】
前記受信するステップは、
前記シグナリングを前記複数の前記広帯域周波数サブバンドにおいて受信するステップであって、シンボルは前記複数の前記広帯域周波数サブバンドにわたる前記シグナリングの時間依存性について符号化され、前記シンボルはデータに対応するステップを備えることを特徴とする請求項１に記載の方法。
【請求項３】
前記検出するステップは、
前記それぞれのサブバンドにおいて受信されたシグナリングのエラーを推定するステップと、
前記エラーに基づいて、前記それぞれのサブバンドにおける狭帯域干渉信号を宣言するステップとを備えることを特徴とする請求項１に記載の方法。
【請求項４】
前記検出するステップは、
前記それぞれのサブバンドにおいて生じるシンボルエラーを追跡するステップと、
前記シンボルエラーに基づいて、前記それぞれのサブバンドにおける前記干渉信号を宣言するステップとを備えることを特徴とする請求項１に記載の方法。
【請求項５】
前記検出するステップは、
前記それぞれのサブバンドにおける前記シンボルエラーが前記干渉信号のためである確率を推定するステップを備え、
前記宣言するステップは、
前記確率に基づいて、前記それぞれのサブバンドにおける前記干渉信号を宣言するステップを備えることを特徴とする請求項４に記載の方法。
【請求項６】
前記検出するステップは、
シグナリングが前記それぞれのサブバンドにおいて受信されない時間期間中に、前記それぞれのサブバンド内における過剰信号エネルギーの存在を判定するステップと、
前記過剰信号エネルギーの前記存在に基づいて、前記それぞれのサブバンドにおける狭帯域干渉信号を宣言するステップとを備えることを特徴とする請求項１に記載の方法。
【請求項７】
前記命令するステップは、
前記送信装置に、前記複数の広帯域周波数サブバンドの前記それぞれのサブバンドを除くいずれかのサブバンドにおいて、前記後続のシグナリングを送信するように命令し、前記それぞれのサブバンドを追加の広帯域周波数サブバンドと置換するステップを備えることを特徴とする請求項１に記載の方法。
【請求項８】
前記命令するステップは、
前記送信装置に、前記複数の広帯域周波数サブバンドの前記それぞれのサブバンドを除くいずれかのサブバンドにおいて、前記後続のシグナリングを送信するように命令するステップであって、前記それぞれのサブバンドは追加のサブバンドと置換されないステップを備えることを特徴とする請求項１に記載の方法。
【請求項９】
前記それぞれのサブバンドが前記干渉信号をもはや含まないと判定するステップと、
前記送信装置に、前記複数の超広帯域周波数サブバンドのいずれかのサブバンドにおいて、前記後続のシグナリングを送信するように命令するステップとをさらに備えることを特徴とする請求項１に記載の方法。
【請求項１０】
利用可能サブバンド、使用されているサブバンド、および干渉サブバンドの２つまたはそれ以上を含むチャネル状態情報を維持するステップをさらに備えることを特徴とする請求項１に記載の方法。
【請求項１１】
前記干渉ステップの前記検出に応答して、前記チャネル状態情報を更新するステップをさらに備えることを特徴とする請求項１０に記載の方法。
【請求項１２】
前記送信装置に前記命令するステップは、
更新された前記チャネル状態情報を前記送信装置に送信するステップを備えることを特徴とする請求項１１に記載の方法
【請求項１３】
前記チャネル状態情報は、変調タイプ、コーディングレート、データレート、およびサブバンドのバンド幅の１つまたは複数をさらに含むことを特徴とする請求項１０に記載の方法。
【請求項１４】
前記送信装置に前記命令するステップは、
前記干渉信号を含んでいるとして前記それぞれのサブバンドを識別するチャネル状態情報を、前記干渉信号を含む前記それぞれのサブバンドにおいて、前記送信装置に送信するステップを備えることを特徴とする請求項１に記載の方法。
【請求項１５】
前記チャネル状態情報を前記送信するステップは、
第１シンボル期間中に、前記干渉信号含む前記それぞれのサブバンドにおいて、第１信号を送信するステップと、
第２シンボル期間中に、前記干渉信号を含む前記それぞれのサブバンドにおいて、第２信号を送信するステップと、
前記第２シンボル期間中に、利用可能なサブバンドにおいて、第３信号を送信するステップとを備え、
前記送信装置は、前記複数の広帯域周波数サブバンドのどのサブバンドが、前記後続のシグナリングを送信するかを決定することができることを特徴とする請求項１４に記載の方法。
【請求項１６】
前記送信装置に前記命令するステップは、
チャネル状態情報を前記送信装置に送信するステップであって、前記チャネル状態情報は前記複数の広帯域周波数サブバンドからの利用可能なサブバンドを備えるステップを備えることを特徴とする請求項１に記載の方法。
【請求項１７】
前記送信装置に前記命令するステップは、
チャネル状態情報を前記送信装置に送信するステップであって、前記チャネル状態情報は前記複数の広帯域周波数サブバンドから使用されているサブバンドを備えるステップを備えることを特徴とする請求項１に記載の方法。
【請求項１８】
前記送信装置に前記命令するステップは、
チャネル状態情報を前記送信装置に送信するステップであって、前記チャネル状態情報は前記複数の広帯域周波数サブバンドからの干渉サブバンドを備えるステップを備えることを特徴とする請求項１に記載の方法。
【請求項１９】
前記シグナリングを受信するステップは、
前記シグナリングを複数の超広帯域周波数サブバンドにおいて受信するステップであって、各超広帯域周波数サブバンドのバンド幅が、前記超広帯域周波数サブバンドの前記中心周波数の少なくとも２０パーセントであるステップを備えることを特徴とする請求項１に記載の方法。
【請求項２０】
干渉の存在下で動作する多重周波数バンドレシーバであって、前記レシーバは、
各広帯域周波数サブバンドが異なる中心周波数を有する複数の広帯域周波数サブバンドにおいてシグナリングを受信するように構成される信号検出器であって、各広帯域周波数サブバンドのバンド幅が、前記広帯域周波数サブバンドの中心周波数の少なくとも２パーセントである信号検出器と、
前記信号検出器に結合され、かつ、前記広帯域周波数サブバンドのそれぞれのサブバンドの一部に信号エネルギーを有する干渉信号を検出するように構成される干渉検出器と、
前記干渉検出器に結合され、かつ前記それぞれのサブバンドの使用の中止を決定するように構成される干渉補償器とを備え、
前記干渉補償器は、前記複数の広帯域周波数サブバンドの前記それぞれのサブバンドを除くいずれかのサブバンドにおいて、後続のシグナリングが送信装置によって送信されることを決定するように構成されることを特徴とする多重周波数バンドレシーバ。
【請求項２１】
前記信号検出器は、複数の超広帯域周波数サブバンドにおいて前記シグナリングを受信するように構成され、各広帯域周波数サブバンドのバンド幅は、前記超広帯域周波数サブバンドの中心周波数の少なくとも２０パーセントであることを特徴とする請求項２０に記載の装置。
【請求項２２】
前記信号検出器は、前記シグナリングを受信するように構成され、シンボルは、前記複数の前記広帯域周波数サブバンドにわたる前記シグナリングの時間依存性について符号化され、前記シンボルは、データに対応することを特徴とする請求項２０に記載のレシーバ。
【請求項２３】
チャネル状態情報を送信装置に伝達する方法であって、前記方法は、
複数の広帯域周波数サブバンドのそれぞれのサブバンドが、それぞれのサブバンドの一部に信号エネルギーを有する干渉信号を含むことを指示するチャネル構成状態情報を取得するステップであって、シグナリングは、送信装置と受信装置との間において、前記複数の広帯域周波数サブバンド上で行われ、各広帯域周波数サブバンドは、異なる中心周波数を有し、各広帯域周波数サブバンドのバンド幅は、前記広帯域周波数サブバンドの中心周波数の少なくとも２パーセントであるステップと、
第１シンボル期間中に、前記干渉信号を含む前記それぞれのサブバンドにおいて、第１信号を前記送信装置に送信するステップと、
第２シンボル期間中に、前記干渉信号を含む前記それぞれのサブバンドにおいて、第２信号を前記送信装置に送信するステップと、
前記第２シンボル期間中に、前記シグナリングに目下使用されていない利用可能なサブバンドにおいて、第３信号を前記送信装置に送信するステップとを備え、
前記送信装置は、前記第１信号、前記第２信号、および前記第３信号に基づいて、前記複数の広帯域周波数サブバンドのどのサブバンドが前記後続のシグナリングを送信するかを決定することができるステップを備えることを特徴とする方法。
【請求項２４】
干渉の存在下で多重周波数バンド広帯域システムにおいて動作する方法であって、前記方法は、
各広帯域周波数サブバンドが異なる中心周波数を有する複数の広帯域周波数サブバンドにおいてシグナリングを受信するステップであって、各広帯域周波数サブバンドのバンド幅は、前記広帯域周波数サブバンドの中心周波数の少なくとも２パーセントであるステップと、
前記広帯域周波数サブバンドのそれぞれの一部に信号エネルギーを有する干渉信号を検出するステップと、
前記干渉信号の存在下で動作するために、前記それぞれのサブバンドの中心周波数およびバンド幅の少なくとも一方を修正するステップと、
前記シグナリングを送信する送信装置に、前記それぞれのサブバンドの前記中心周波数の前記修正を説明する後続のシグナリングを送信するように命令するステップとを備えることを特徴とする方法。
【請求項２５】
前記受信するステップは、
前記複数の前記広帯域周波数サブバンドにおいて前記シグナリングを受信するステップであって、シンボルは前記複数の前記広帯域周波数サブバンドにわたる前記シグナリングの時間依存性について符号化され、前記シンボルはデータに対応するステップを備えることを特徴とする請求項２４に記載の方法。
【請求項２６】
前記修正するステップは、
前記干渉信号の隣接サブバンドと前記干渉信号の側との間の周波数に位置する修正サブバンドを作成するために、前記それぞれの前記中心周波数および前記バンド幅を修正するステップと、
新しいサブバンドが、前記干渉信号の他の側と他の隣接信号との間の周波数に位置するように、中心周波数およびバンド幅を有する新しいサブバンドを作成するステップとを備えることを特徴とする請求項２４に記載の方法。
【請求項２７】
前記命令するステップは、
前記それぞれのサブバンドが、前記修正されたサブバンドおよび前記新しいサブバンドによって置換され、前記干渉信号が、その間の周波数に位置するように、前記送信装置に、前記修正および作成するステップを説明する前記後続のシグナリングを送信するように命令するステップを備えることを特徴とする請求項２６に記載の方法。
【請求項２８】
前記後続のシグナリングのスループットは、前記検出ステップの前に、前記シグナリングのスループットに関して変化しないことを特徴とする請求項２７に記載の方法。
【請求項２９】
前記修正するステップは、
前記干渉信号の隣接サブバンドと前記干渉信号の側との間の周波数に位置する修正サブバンドを作成するために、前記それぞれのサブバンドの前記中心周波数および前記バンド幅を修正するステップと、
前記新しいサブバンドが、前記干渉信号の他の側と他の隣接信号との間の周波数に位置するように、中心周波数およびバンド幅を有する新しいサブバンドを作成するステップと、
新しい複数の広帯域周波数サブバンドを作成するために、前記複数の広帯域周波数サブバンドの非干渉サブバンドのそれぞれのバンド幅を修正するステップとを備えることを特徴とする請求項２４に記載の方法。
【請求項３０】
前記命令するステップは、
前記送信装置に、前記新しい複数の広帯域周波数サブバンドにおいて前記後続のシグナリングを送信するように命令するステップを備えることを特徴とする請求項２９に記載の方法。
【請求項３１】
前記後続のシグナリングのスループットは、前記検出ステップの前に、前記シグナリングのスループットに関して変化しないことを特徴とする請求項３０に記載の方法。
【請求項３２】
前記修正するステップは、
前記干渉信号が、前記それぞれのサブバンドと隣接サブバンドとの間の周波数に位置するように、前記複数の広帯域周波数サブバンドのそれぞれの中心周波数をシフトさせるステップを備えることを特徴とする請求項２４に記載の方法。
【請求項３３】
前記命令するステップは、
前記送信装置に、周波数についてシフトされた前記複数の広帯域周波数サブバンドにおいて、前記後続のシグナリングを送信するように命令するステップを備えることを特徴とする請求項３２に記載の方法。
【請求項３４】
前記後続のシグナリングのスループットは、前記検出するステップの前に、前記シグナリングのスループットに関連して変化しないことを特徴とする請求項３３に記載の方法。
【請求項３５】
前記修正するステップは、
前記干渉信号を含んでいない修正サブバンドを作成するために、前記それぞれのバンドの前記バンド幅を縮小するステップを備えることを特徴とする請求項２４に記載の方法。
【請求項３６】
前記命令するステップは、
前記送信装置に、前記縮小するステップを説明する前記後続のシグナリングを送信するように命令するステップを備えることを特徴とする請求項３５に記載の方法。
【請求項３７】
前記後続のシグナリングのスループットは、前記検出するステップの前に、前記シグナリングのスループットに関連して変化しないことを特徴とする請求項３６に記載の方法。
【請求項３８】
前記修正するステップは、
前記干渉信号の隣接サブバンドと前記干渉信号の側部との間の周波数に位置する修正サブバンドを作成するために、前記それぞれのバンドの前記中心周波数および前記バンド幅を修正するステップと、
前記隣接サブバンドの中心周波数および帯域幅を修正し、一方、前記複数の広帯域周波数サブバンドの他の非干渉サブバンドの中心周波数およびバンド幅を修正しないステップとを備えることを特徴とする請求項２４に記載の方法。
【請求項３９】
前記命令するステップは、
前記送信装置に、前記修正するステップを説明する前記後続のシグナリングを送信するように命令するステップを備えることを特徴とする請求項３８に記載の方法。
【請求項４０】
前記後続のシグナリングのスループットは、前記検出するステップの前に、前記シグナリングのスループットに関連して変化しないことを特徴とする請求項３９に記載の方法。
【請求項４１】
前記第１の修正するステップに応答して、前記複数の広帯域周波数サブバンドの他の非干渉サブバンドの少なくとも１つの中心周波数およびバンド幅の少なくとも一方を修正するステップをさらに備えることを特徴とする請求項２４に記載の方法。
【請求項４２】
前記第１の修正するステップおよび第２の修正するステップを説明する中心周波数およびバンド幅を有する追加のサブバンドを作成するステップをさらに備えることを特徴とする請求項４１に記載の方法。
【請求項４３】
前記シグナリングを受信するステップは、
複数の超広帯域周波数サブバンドにおいて前記シグナリングを受信するステップであって、各超広帯域周波数サブバンドの前記帯域幅は、前記超広帯域周波数サブバンドの中心周波数の少なくとも２０パーセントであるステップを備えることを特徴とする請求項２４に記載の方法。
【請求項４４】
干渉の存在下で動作する多重周波数バンド広帯域レシーバであって、前記レシーバは、
各広帯域周波数サブバンドが異なる中心周波数を有する複数の広帯域周波数サブバンドにおいてシグナリングを受信するように構成される信号検出器であって、各広帯域周波数サブバンドのバンド幅は、前記広帯域周波数サブバンドの中心周波数の少なくとも２パーセントである信号検出器と、
前記信号検出器に結合され、かつ、前記広帯域周波数サブバンドのそれぞれのサブバンドの一部に信号エネルギーを有する干渉信号を検出するように構成される干渉検出器と、
前記干渉検出器に結合され、かつ前記干渉信号が存在する状態動作するために、前記それぞれのサブバンドの中心周波数およびバンド幅の少なくとも一方を修正するように構成される干渉補償器とを備え、
前記干渉補償器は、送信装置から送信される後続のシグナリングが、前記それぞれのサブバンドの前記中心周波数の前記修正を説明するために送信されることを特徴とするレシーバ。
【請求項４５】
前記信号検出器は、複数の超広帯域周波数サブバンドにおいてシグナリングを受信するように構成され、各超広帯域周波数サブバンドのバンド幅は、前記超広帯域周波数サブバンドの中心周波数の少なくとも２０パーセントであることを特徴とする請求項４４に記載のレシーバ。
【請求項４６】
前記信号検出器は、前記シグナリングを受信するように構成され、シンボルが、前記複数の前記広帯域周波数サブバンドにわたる前記シグナリングの時間依存性について符号化され、前記シンボルは、データに対応することを特徴とする請求項４４に記載のレシーバ。
【発明の詳細な説明】
【技術分野】
【０００１】
本発明は、一般に、有線チャネル、無線チャネル、および／または光伝送チャネル上でのデータ転送に関する。より具体的には、本発明は、干渉の存在下における超広帯域信号の受信に関する。
【背景技術】
【０００２】
計算および通信の応用分野が、より豊かでより複雑になるにつれ、よりいっそう高いデータレートで、またはより低いコストおよび電力消費で、情報を通信装置間において転送することが必要である。そのような装置の使用は、大量データ転送および／またはマルチメディアアプリケーションまたは分散センサネットワークを含む可能性がある。たとえば、マルチメディアアプリケーションは、通信装置間の高速接続性を必要とする企業／娯楽システムおよびゲートウエイなどの装置から来る高精細度オーディオおよび／またはビデオの多重同時ストリームに対処することが可能である。
【０００３】
ますます、そのような装置が、モバイル環境および変化する環境において使用され、無ケーブル接続が、ユーザにとって便利であるだけでなく、セルラ電話などの機能要件となることがある。無線接続は、能力の改善、容易な使用を提供することができ、コストの節約および生産性の増大をもたらすことが可能である。したがって、高速無線接続および超低コスト／低電力消費装置が必要である。
【０００４】
消費者の電子装置にとって、トランスミッタおよびレシーバの実施態様のコストおよび複雑さは、装置の生産コストに著しく寄与することがあるので、重要な考慮事項である。したがって、そのような装置は、低コスト高速無線接続から大きな利益を得る。
【０００５】
ほとんどの既存の無線通信方式は、連続波の搬送波を変調することによって、データを転送する。多くの場合、無線周波数スペクトルの一部が、この方式の排他的使用のために確保される。データ転送は、より少ない周波数スペクトルを占有することを試行して、非常に狭い周波数バンドで伝達される可能性がある。しかし、そのような方式は、背景雑音レベルの増大およびマルチパス干渉に影響されやすい可能性がある。いくつかの狭帯域方式は、他のシステムとも干渉する可能性がある（たとえば、使用される特定の周波数帯域により多くのエネルギーが集中するため）。
【０００６】
【特許文献１】米国特許出願第１０／２５５，１１１号
【特許文献２】米国特許出願第          号
【特許文献３】米国特許第６，０２６，１２５号
【特許文献４】米国特許出願第１０／２５５，１０３号
【発明の開示】
【発明が解決しようとする課題】
【０００７】
したがって、マルチパス干渉により影響されにくい低コスト高速低電力無線装置の方式が必要である。超広帯域（ＵＷＢ）通信方法は、エネルギーを無線周波数スペクトルの大部分にわたって拡散させることによって、情報を伝送する。超広帯域通信は、非常に低い電力密度を有する非常に広いバンド幅にわたって伝送する。したがって、超広帯域方式は、マルチパス干渉により影響されにくいが、その性能は、きわめて接近している狭帯域伝送、またはより高い電力で信号を伝送する狭帯域伝送の存在下では、低下することがある。したがって、これらの狭帯域伝送が超広帯域通信プロセスに及ぼす影響を緩和する方法を提供することが賢明である。
【課題を解決するための手段】
【０００８】
一実施形態では、本発明は、干渉の存在下における多重周波数バンドシステムの動作方法を特徴づけることが可能である。該方法は、各広帯域周波数サブバンドが異なる中心周波数を有する複数の広帯域周波数サブバンドにおいてシグナリングを受信するステップであって、各広帯域周波数サブバンドのバンド幅が、広帯域周波数サブバンドの中心周波数の少なくとも２パーセントであるステップと、広帯域周波数サブバンドのそれぞれのサブバンドの一部に信号エネルギーを有する干渉信号を検出するステップと、それぞれのサブバンドの使用を中止することを決定するステップと、シグナリングを送信する送信装置に、複数の広帯域周波数サブバンドのそれぞれのサブバンドを除くいずれかにおいて、後続のシグナリングを送信するように命令するステップとを含む。
【０００９】
他の実施形態では、本発明は、干渉の存在下で動作する多重周波数帯域レシーバを特徴とすることが可能である。レシーバは、各広帯域周波数サブバンドが異なる中心周波数を有する複数の広帯域周波数サブバンドにおいてシグナリングを受信するように構成される信号検出器であって、各広帯域周波数サブバンドのバンド幅が、広帯域周波数サブバンドの中心周波数の少なくとも２パーセントである信号検出器と、信号検出器に結合され、かつ広帯域周波数サブバンドのそれぞれのサブバンドの一部に信号エネルギーを有する干渉信号を検出するように構成される干渉検出器と、干渉検出器に結合され、かつそれぞれのサブバンドの使用を中止することを決定するように構成される干渉補償器とを備える。干渉補償器は、後続のシグナリングが、複数の広帯域周波数サブバンドのそれぞれのサブバンドを除くいずれかのサブバンドにおいて、送信装置によって送信されることを決定するように構成される。
【００１０】
さらなる実施形態では、本発明は、チャネル状態情報を送信装置に伝達する方法を特徴とすることが可能である。該方法は、複数の広帯域周波数サブバンドのそれぞれのサブバンドが、それぞれのサブバンドの一部に信号エネルギーを有する干渉信号を含むことを示すチャネル構成情報を得るステップであって、シグナリングが、送信装置と受信装置との間において複数の広帯域周波数サブバンドで行われ、各広帯域周波数サブバンドが、異なる中心周波数を有し、各広帯域周波数サブバンドのバンド幅が、広帯域周波数サブバンドの中心周波数の少なくとも２パーセントであるステップと、第１シンボル期間中に、干渉信号を含むそれぞれのサブバンドにおいて第１信号を送信装置に送信するステップと、第２シンボル期間中に、干渉信号を含むそれぞれのサブバンドにおいて、第２信号を送信装置に送信するステップと、第２シンボル期間中に、目下シグナリングに使用されていない利用可能なサブバンドにおいて、第３信号を送信装置に送信するステップとを含む。送信装置は、第１信号、第２信号、および第３信号の受信に基づいて、複数の広帯域周波数サブバンドのどのサブバンドが後続のシグナリングを送信するかを決定することができる。
【００１１】
他の実施形態では、本発明は、干渉が存在する状態における多重周波数バンド広帯域システムの動作方法を特徴とすることが可能である。該方法は、各広帯域周波数サブバンドが異なる中心周波数を有する複数の広帯域周波数サブバンドにおいてシグナリングを受信するステップであって、各広帯域周波数サブバンドのバンド幅が、広帯域周波数サブバンドの中心周波数の少なくとも２パーセントであるステップと、広帯域周波数サブバンドのそれぞれのサブバンドの一部に信号エネルギーを有する干渉信号を検出するステップと、干渉信号の存在下で動作するために、それぞれのサブバンドの中心周波数およびバンド幅の少なくとも一方を修正するステップと、シグナリングを送信する送信装置に、それぞれのサブバンドの中心周波数の修正を説明する後続のシグナリングを送信するように、送信装置に命令するステップとを含む。
【００１２】
他の実施形態では、本発明は、干渉の存在下で動作する多重周波数バンド広帯域レシーバを特徴とすることが可能である。レシーバは、各広帯域周波数サブバンドが異なる中心周波数を有する複数の広帯域周波数サブバンドにおいてシグナリングを受信するように構成される信号検出器であって、各広帯域周波数サブバンドのバンド幅が、広帯域周波数サブバンドの中心周波数の少なくとも２パーセントである信号検出器と、信号検出器に結合され、かつ広帯域周波数サブバンドのそれぞれのサブバンドの一部に信号エネルギーを有する干渉信号を検出するように構成される干渉検出器と、干渉検出器に結合され、かつ干渉信号が存在する状態において動作するために、それぞれのサブバンドの中心周波数およびバンド幅の少なくとも一方を修正するように構成される干渉補償器とを備える。干渉補償器は、送信装置から送信される後続のシグナリングが、それぞれのサブバンドの中心周波数の修正を説明するために送信されることを決定するように構成される。
【発明を実施するための最良の形態】
【００１３】
以下の記述および請求項において、ある用語は、以下のように定義することが可能である。
【００１４】
「周波数バンド」という用語は、周波数スペクトルの隣接部分を表す。周波数バンドに適用される「中心周波数」という用語は、周波数バンドの境界における周波数の算術的平均の周波数を表す。「バンド幅」という用語は、周波数バンドの幅、すなわち、上限境界の周波数と下限境界の周波数との差を表す。本明細書において定義するように、周波数バンドは、互いに隣接し、重複しないことが可能であるが、隣接しない、または重複することも可能である。
【００１５】
「バースト」という用語は、特定の周波数範囲内において、限定時間期間にわたるエネルギー量の発散を表す。バーストは、波形（たとえば、正弦波）の１つまたは複数の周期を含むことが可能である。バーストは、波形の１サイクル未満に限定することさえ可能である。いくつかの応用例では、２つまたはそれ以上のバーストを同時に伝送することが可能である。バーストの送信の開始は、バーストを「トリガする」とも呼ばれる。
【００１６】
「広帯域」という用語は、バンド幅がその中心周波数の２％以上の信号を表し、「超広帯域」という用語は、バンド幅がその中心周波数の２０％以上の信号を表す。たとえば、超広帯域信号のバンド幅は、信号の中心周波数の最高で５０％またはそれ以上とすることが可能である。超広帯域信号は、１０ヘルツ未満からテラヘルツおよびそれを超える周波数において使用することが可能である。ほとんどの超広帯域の使用は、主に現在の規制割当てのために、現在は１００ＭＨｚと１０ＧＨｚとの間にあるが、将来の割当ては、この周波数範囲を大きく超えることが想定される。
【００１７】
「サブバンド」という用語は、周波数スペクトル内の周波数バンドを表す。たとえば、本明細書において記述するように、周波数スペクトルは、複数のサブバンドに分割され、各サブバンドは、異なる中心周波数を有する。「サブバンド」は、本明細書では、単に「バンド」とも呼ばれる。
【００１８】
「タイムスロット」という用語は、バーストをトリガすることが可能である瞬間を分離する確定時間期間を表す。時間期間は、継続時間が等しい連続し、重複しないタイムスロットの連続系列に分割することが可能である。代替として、時間期間は、継続時間が異なる連続し、重複しないタイムスロットのシリーズに分割することが可能である。複雑な高速システムでは、タイムスロットの長さは、ピコ秒で測定することが可能である。より複雑でないより低速のシステムでは、タイムスロットの長さは、ナノ秒の領域にある可能性がある。他の応用例では、所望に応じて、より短いまたはより長い長さのタイムスロットを使用することが可能である。
【００１９】
本明細書において記述する実施態様では、同じタイムスロット境界が、様々な周波数バンドにわたって観測される。しかし、２つまたはそれ以上の異なるタイムスロット構成を、他の実施態様において様々な周波数バンドの中で適用することが可能であることが考慮される（たとえば、１つの周波数バンドのタイムスロットが、他の周波数バンドのタイムスロットより長いことが可能である、または、１つの周波数バンドのタイムスロットが、一定の長さを有することが可能であり、一方、他の周波数バンドのタイムスロットが、異なる長さを有する）。
【００２０】
超広帯域技法はサブバンド手法を使用するが、ここでは情報の符号化が、直列および／または並列のサブバンドの１つまたは複数において行われ、ＵＷＢマルチバンドアーキテクチャと呼ばれる。たとえば、超広帯域信号が、２つ条の周波数サブバンド内において伝送され、各サブバンドは、超広帯域バンド幅を有する。多くのそのような利点は、そのようなアーキテクチャ、同様の規制適応性、性能パラメータのスケーラビリティ（データ率、電力消費、複雑さ／コスト）、および共存ならびに干渉回避から導出される。
【００２１】
ＵＷＢマルチバンドの進化した手法が記載され、時分割多重周波数（ＴＤＭＦ）方式について記述されている（例えば２００２年９月２６日出願、「METHOD AND APPARATUS FOR DATA TRANSFER USING A TIME DIVISION MULTIPLE FREQUENCY SCHEME」、特許文献１参照）。一実施態様によれば、ＴＤＭＦ方式は、複数サブバンドのそれぞれ内における少なくとも１つのバーストの伝送の時間順序について、情報を符号化する。すなわち、データは、バーストのクラスタ内における周波数バーストの時間依存性により符号化される。バーストがクラスタ内において行われる時間および周波数は、情報を搬送する。たとえば、複数サブバンドにわたるバーストの伝送順序は、シンボルを確定し、シンボルは、確定ビットに対応し、または確定ビットにマッピングされる。
【００２２】
このマルチバンド方式は、データ率をさらにいっそう増大させるために、クラスタのそれぞれに対する振幅変調、極性変調、または当技術分野において既知の他の変調方式で、増補することもできる（２００３年２月２０日出願、「METHOD AND APPARATUS FOR DATA TRANSFER USING A TIME DIVISION MULTIPLE FREQUENCY SCHEME WITH ADDITIONAL MODULATION、弁理士整理番号第８１５０６」、特許文献２参照）。一実施態様では、この方式は、サブバンドのそれぞれにおけるシグナリングの変調を観察し、ならびに情報を符号化するためにサブバンドのそれぞれの送信および／または受信のタイミングを観察する。一例は、３バンドシステムである。この場合、各バーストは、極性変調を有し、３つの変調バーストの到着のタイミングは、確定ビットの特定のシンボルに集団的にマッピングされる。ＴＤＭＦ方式、ならびに他のマルチバンド方式は、調整および非調整の共置システムについて適切に設計される必要がある。そうでない場合、システムは、狭帯域干渉源の影響を受ける可能性があるだけでなく、潜在的に自己干渉し、かつ他のＵＷＢシステムから干渉を受ける可能性がある。
【００２３】
そのようなＴＤＭＦ方式によれば、「クラスタ」という用語は、１つまたは複数の周波数バンドにおけるバーストの時間順序シーケンスに符号化する情報の表現のことをいう。「クラスタ間隔」という用語は、クラスタの送信の開始と次のクラスタの送信の開始との間の期間を表し、クラスタ間のあらゆる「静止時間（ｑｕｉｅｔ  ｔｉｍｅ）」を含む。クラスタ間の「静止時間」期間は、たとえば非同期応用分野では、特に有用である可能性がある。そのような場合、静止時間期間の持続時間がタイムスロットの持続時間より長いことが望ましい可能性がある。
【００２４】
説明したように、マルチバンド通信プロセスは、トランスミッタから１つまたは複数のレシーバにデータを転送するために、１つまたは複数の周波数バンドを使用する。図１を参照すると、各周波数バンドを、通信プロセスによって使用されている、利用可能であるが使用されていない、または、バンドが過剰干渉の影響を受けているので回避される、と分類することが有用である可能性がある。したがって、構成とも呼ばれる通信チャネルの状態１００は、３つの独立セットとして表すことができ、それにより、これ以後「使用」セットと呼ばれるセット１１０は、通信プロセスによって使用されるバンドのセットを表し、これ以後「利用可能」セットと呼ばれるセット１２０は、利用可能であるが使用されていないバンドのセットを表し、これ以後「干渉」セットと呼ばれるセット１３０は、バンドにおける干渉のために回避されるバンドのセットを表す。記述したセットは、数学的意味において集合として扱うことができ、本明細書において記述するセットを操作するために、補集合（〜）、和集合（＋）、論理積（＊）、および非対称差（−）など、集合演算を適用することができることに留意されたい。
【００２５】
図１は、チャネル状態（チャネル構成１００とも呼ばれる）の例を示す。この場合、周波数バンド１および３が、通信プロセスによって使用され、一方、バンド４は、利用可能であるが、通信プロセスによって使用されていない。バンド２は、過剰干渉によって損傷されていると判定されており、したがって、通信目的に対して回避される。
【００２６】
図２を参照すると、本発明は、マルチバンド通信に使用される通信チャネルを監視し、１つまたは複数の周波数バンドにおいて干渉源を検出し、チャネルに存在する干渉に対して構成を適応させる方法を提供する。本発明は、干渉消滅後、干渉の影響から回復する手段をも提供する。開始時、通信チャネルまたはリンクが、トランスミッタとレシーバとの間（たとえば、少なくとも２つのトランシーバ間）において確立される。通信チャネルは、いくつかの確定周波数サブバンドに分割され、各サブバンドは、異なる中心周波数を有する。サブバンドは、超広帯域信号が送信および受信される超広帯域周波数サブバンドであることが好ましい。マルチバンド送信方式に応じて、サブバンドの２つ以上が通信に使用されるが、すべてのサブバンドが通信に使用される必要はない。すなわち、上記で記述したように、１つまたは複数のサブバンドが利用可能であるが、目下使用されていない可能性がある。
【００２７】
図２のステップ２００において、通信装置は、干渉源について通信チャネルを監視する。一般に、チャネルは、受信中またはアイドル時間中に監視されるが、チャネルは、送信時間中に監視することも可能である。ステップ２００において、「干渉」セットは、過剰干渉のために利用不可能であると判定された周波数バンドのセットを割り当てられる。さらに、ステップ２００において、「干渉」セットは、「利用可能」セットから除去される。すなわち、利用可能＝利用可能−干渉である。
【００２８】
ステップ２１０において、「使用」セットと「干渉」セットとの論理積が空ではないか（使用＊干渉｛｝）を判定することによって、通信プロセスによって使用されるバンドの１つに干渉が存在するかについて、判定が行われる。本発明のいくつかの実施形態は、一般に、現行通信プロセス中に使用されるバンドにおける干渉の検出に関するが、たとえば、現行セットより少ない干渉を有する周波数バンドの代替セットを決定するために、現在使用されているバンド以外のバンドにおける干渉に関する判定も、同様に可能である。したがって、一実施形態では、そのようなバンドに干渉が存在するかを判定するために、使用されていないが、利用可能なバンド（サブバンド）が監視される。
【００２９】
ステップ２１０において、干渉が検出される場合、実行は、ステップ２２０において続行される。そうでない場合、実行は、ステップ２８０において続行される。
【００３０】
ステップ２２０において、装置は、使用されているバンドの現行セットによって提供されるデータスループットを、干渉によって弱められた「使用」セットのバンドを「利用可能」セットのバンドと交換することによって維持することができるかを判定する。スループットのレベルを維持することができる場合、実行は、ステップ２３０において続行される。そうでない場合、実行は、ステップ２６０において続行される。
【００３１】
ステップ２３０において、装置は、干渉使用バンドのセットを置換するために、「利用可能」セットから１セットのバンドを選択する。新しい「使用」セットは、現行「使用」セットから「干渉」セットを除去して、「利用可能」セットから選択されたバンドを追加した結果である（新しい使用＝使用−干渉＋選択）。装置は、新しい「使用」セットに基づいて、データ符号化方式を決定し、ステップ２４０において続行される。干渉バンドを利用可能バンドと置換する例を、図１０〜１２に示す。
【００３２】
ステップ２４０において、装置は、新しい構成および新しいデータ符号化方式を他の参加装置に伝達して、ステップ２５０において続行される。
【００３３】
ステップ２５０において、新しい構成および符号化方式を首尾よく伝達した後、装置は、新しい「使用」セットおよび新しい符合化方式を使用するように、その構成を変更する。次いで、ステップ２００に進む。
【００３４】
ステップ２２０において、スループットを維持することができない場合、ステップ２６０において、スループットを低減して通信リンクを維持することができるかについて、判定が行われる。スループットの低減は、一般に、干渉を含むバンドを除去することによって、データの通信に使用されるバンドの数を低減する結果である。スループットを低減してリンクを維持することができるかについて判定するために、当技術分野において既知の様々な方式を適用することができる。たとえば、通信リンクに、上限および下限のスループット要件を割り当てることができる。次いで、装置は、低減されたスループットを下限スループット要件と比較することができる。
【００３５】
スループットを低減して通信リンクを維持することができる場合、装置は、ステップ２７０に進む。
【００３６】
ステップ２７０において、新しい「使用」セットが、「干渉」セットを「使用」セットから除去することにより得られる（新しい使用＝使用−干渉）。また、ステップ２７０において、装置は、新しい「使用」セットに基づいて、データ符号化方式を決定する。次いで、実行は、ステップ２４０に進む。適切な置換えバンドを有さずに干渉バンドを除去する例を、図１３〜１５に示す。
【００３７】
ステップ２６０において、スループットを低減して通信リンクを維持することができないと判定される場合、装置は、通信プロセスを終了して、たとえば、干渉環境がより劣悪ではなくなることを希望して、遅延後に通信リンクを再確立することを試行することによって、当技術分野において既知であるように回復する。
【００３８】
ステップ２１０において、「使用」セットが干渉を受けないと判定される場合、ステップ２８０において、通信リンクがスループットの増大から利益を得るかについて、判定が行われる。スループットの増大は、「利用可能」セットが空ではない場合、一般に可能である。これは、通信リンクにバンドを使用しない装置の結果、またはバンドが「干渉」セットから「利用可能」セットに移動される結果とすることができる。たとえば増大されたスループットをリンクの上限スループット境界と比較することによって、通信リンクがスループットの増大から利益を得ることができると判定される場合、実行は、ステップ２９０において続行される。そうでない場合、チャネル監視が、ステップ２００において再開される。
【００３９】
ステップ２９０において、装置は、新しい「使用」セットを形成するために、現行「使用」セットと共に、「利用可能」セットから１セットの周波数バンドを選択する（新しい使用＝使用＋選択）。ステップ２４０において続行される前に、新しい「使用」セットに基づいて、データ符号化方式が決定される。干渉バンドがもはや存在しないので、利用可能バンドを追加する例を図１６〜１８に示す。
【００４０】
本発明のいくつかの実施形態によれば、ＵＷＢマルチバンド通信に対する狭帯域干渉を検出して、この干渉の影響を改善するように、マルチバンドシグナリングを適応させる方法が提供される。サブバンド通信の一実施態様では、個々の周波数チャネルの送信および受信は、オンオフキーイング（ＯＯＫ）、２進または直角位相シフトキーイング（ＢＰＳＫ、ＱＰＳＫ）、パルス振幅変調（ＰＡＭ）、パルス位置変調（ＰＰＭ）、および当技術分野において既知の多くのその他など、様々な変調方法を使用して、データを送信するように独立に動作される。システムの全体的なデータレートは、個々の周波数チャネルのデータレートの和である。
【００４１】
他の実施態様では、各シンボルは、複数周波数バンドのバーストからなる。この例は、ＴＤＭＦとして既知であり（２００２年９月２６日出願、「METHOD AND APPARATUS FOR DATA TRANSFER USING A TIME DIVISION MULTIPLE FREQUENCY SCHEME」、特許文献１参照）、マルチバンドシンボルは、ｎの異なる周波数バーストｆｋ、ｋ＝１，２，．．．，ｎからなる。シンボルの情報は、個々の周波数バーストの相対位置に含まれる。以下の実施形態は、マルチバンドの実施態様のタイプとは無関係である。
【００４２】
マルチバンドＵＷＢ通信方式の１つまたは複数のサブバンドにおいて干渉信号を検出する方法は、一般に、シンボルエラーに関する統計を維持して、干渉の存在を判定するためにそれらの統計を使用すること、または所与のサブバンドにおいて過剰信号エネルギーの存在を検出するために、レシーバの回路を使用することに基づく。
【００４３】
マルチバンドレシーバでは、雑音を最小限に抑えるために、様々な方法が通常使用される。１つの方法では、レシーバアンテナの出力における信号は、ｆｋ、ｋ＝１，２，．．．，ｎの中心周波数を有し、かつ送信バーストと同じバンド幅を有するｎのバンドパスフィルタを通過する。代替として、コリレータタイプの検出器では、バンドパスフィルタは、必要とされない。
【００４４】
図３は、マルチバンドレシーバ１００の一実施形態のブロック図を示す。これは、低雑音増幅器（ＬＮＡ）１２０を備える。この増幅器の入力は、アンテナ１１０に結合され、出力は、１つまたは複数のバースト検出器１３０ａから１３０ｎに結合される。検出器のそれぞれは、サブバンド内においてバーストを検出するように設計される。バースト検出器１３０ａから１３０ｎの出力は、検出器信号１４０ａから１４０ｎの信号復号器１５０の入力、および干渉検出器１５５の入力に結合される。
【００４５】
アンテナ１１０を経て受信される電磁エネルギーは、ＬＮＡ１２０によって増幅され、バースト検出器１３０ａから１３０ｎに供給される。バースト検出器１３０ａから１３０ｎは、特定の周波数バンドにおいてバーストを検出するように構成される。たとえば、一実施形態では、各バースト検出器１３０は、所望のサブバンドを通過させるように構成されたバンドパスフィルタを含む。他の実施形態では、所望のバーストを検出するために、バンドパスフィルタではなく、コリレータが使用される。バーストを検出すると、バースト検出器１３０ａから１３０ｎが、その周波数バンドにおいてバーストを検出したことを、添付された信号復号器１５０および干渉検出器１５５にシグナリングする。信号復号器１５０は、検出バーストのシーケンスをデータ信号に復号し、このデータ信号は、データ信号１６０によりデータシンクに伝達される。いくつかの実施形態によれば、干渉検出器は、干渉信号が、１つまたは複数のサブバンドに存在するかを判定するように機能する。
【００４６】
図４は、図３の復号器１５０のブロック図を示す。アナログまたはデジタルの検出器信号１４０ａから１４０ｎが、ＡＤＣのバンクまたは当技術分野で既知の他の方法を使用して、アナログ論理またはデジタル論理によって捕獲され、保有される２１０。結果的なデジタル信号ｄ１，ｄ２，．．．，ｄｎは、エラー訂正を有するシンボル検出器２２０、および干渉信号が１つまたは複数のサブバンドに存在するかを判定する干渉検出器１５５に渡される。次いで、修正された信号ｃ１，ｃ２，．．．，ｃｎは、通過される。１セットのエラービットｅ１，ｅ２，．．．，ｅｎも設定され、サブバンドｋを使用することによって生成されたシンボル情報にエラーがある場合、ビットｋの値は１である。
【００４７】
本開示では、エラービットのセットは、各バンドｂｋについて、シンボル伝送にそのバンドを使用したことにより、シンボルにエラーがある確率の推定を計算するために処理される。これらのビットが設定される方式は、使用される特定のシグナリング方法に依存し、以下で説明される。いくつかの実施形態では、ｎのエラービットは、干渉検出を補助するように、干渉検出器１５５に結合される。
【００４８】
各チャネルが独立に動作する実施態様では、図４のエラービットは、各バンドのデータストリームに別々に適用されるエラー訂正アルゴリズムによって決定される。エラー訂正アルゴリズムは、そのチャネルにおいて送信されたシンボルから訂正されたシンボルを回復する。バンクｋにおける回復シンボルと直接受信されたシンボルとが整合しない場合、バンクｋについて、エラービットが設定される。
【００４９】
図５は、ｎの独立サブバンドが使用され、異なるサブバンドにおいて異なるレートでシンボルを送信することが可能であるシグナリング方法について、本発明の方法の一実施形態の制御流れ図を示す。この論理の全体でｎのコピーが、各サブバンドについて１つを実行しなければならない。開始のコマンドが出されると、ブロック３００が、次のシンボルのサブバンドｋについて、エラービットをフェッチする。ブロック３１０が、サブバンドｋにおいて受信されたシンボルのランニングカウントを増大させる。次いで、ブロック３２０が、エラービットが０であるかを調べるために、エラービットを調査する。そうである場合、シンボルは、適切に受信されており、制御は、ブロック３００に戻って、次のシンボルのエラービットを待つ。そうでない場合、制御は、ブロック３３０に進み、そこで、サブバンドｋのエラーのカウントが更新される。Ｎｋを、周波数バンドｋのエラー数のカウントと定義する。エラーカウンタが更新された後、ブロック３４０が、シンボルエラーＮｋの数と周波数バンドの全シンボルＳｋとの比を比較する。この比が閾値Ｔを超える場合、ブロック３５０において、干渉がチャネルｋに存在すると宣言される。
【００５０】
図５に示した方法は、マイクロプロセッサで、または離散論理によって、あるいは当業者には明らかである他の方法によって、実施することが可能である。一実施形態では、図５の方法は、図３および４の干渉検出器１５５によって実施される。
【００５１】
図６は、本発明の方法の一実施形態の制御流れ図を示す。開始のコマンドが出されるとすぐに、ブロック４００では、次のシンボルについてエラービットをフェッチする。ブロック４１０では、受信されたシンボルのランニングカウントを増大させる。次いで、ブロック４２０では、すべてのビットが０であるかを調べるために、エラービットを調査する。そうである場合、シンボルは、適切に受信されており、制御は、ブロック４００に戻って、エラービットの次のセットを待つ。そうでない場合、ブロック４３０では、どのビットが設定されたかを判定し、この情報をブロック４４０ａから４４０ｎに渡す。各ブロックにおいて、周波数ｋのエラービットが設定された場合、制御は、ブロック４５０ｋに進んで、そこで、周波数バンドｋのエラーのカウントが更新される。Ｎｋを、周波数バンドｋのエラーの数のカウントと定義する。各エラーカウンタが更新された後、ブロック４６０では、エラーＮｋと各周波数バンドの全シンボルＳｋとの比を比較する。この比が周波数バンドｋの閾値Ｔを超える場合、ブロック４７０において、干渉がチャネルｋに存在すると宣言される。
【００５２】
図６に示した方法は、マイクロプロセッサで、または離散論理によって、あるいは当業者には明らかであるあらゆる他の方法によって、実施することが可能である。一実施形態では、図６の方法は、図３および４の干渉検出器１５５によって実施される。
【００５３】
図６の方法は、送信シンボルの各周波数バンドを使用する際に、一様な分布を暗に想定している。したがって、各周波数ｆｋを含むシンボルの数は、ｋのすべての値について、ほぼ同じである。これが当てはならない場合、以下のように論理を修正することが可能である：周波数ｆｋを含むシンボルの総数の別々のカウントＭｋを維持する。各周波数ｆｋについて、
【００５４】
【数１】
2006503452.tif 000003
【００５５】
を定義し、かつ
【００５６】
【数２】
2006503452.tif 000004
【００５７】
を定義する。いくつかのｋについて、
【００５８】
【数３】
2006503452.tif 000005
【００５９】
である場合、チャネルｆｋについて狭帯域干渉が宣言される。
【００６０】
シンボルが複数チャネルからの情報からなる実施態様では、エラービットを設定するために使用される方法は、使用される検出方法に依存する。図７は、検出器の例をブロック図の形態で示す。この検出器を使用して、バーストがクラスタあたりせいぜい１回周波数バンドにおいて生じ、かつ各個々のバーストがバースト検出器を通過する際に、各個々のバーストの周波数に関する独立決定を使用するＴＤＭＦ符号化の特定の実施形態を復号することができる。周波数ｆ１、ｆ０、ｆ２をその順序で有する３つのバーストのクラスタ５０６からなる特定のシンボルが、アンテナ５３０を経てレシーバに入り、適切なＬＮＡ５０８によって増幅される。受信信号は、３つの別々のバースト検出器５００ａ、５００ｂ、および５００ｃを通過し、各検出器は、各タイムスロット中に、バーストがその関連する周波数バンドに存在することを独立して宣言する。図７の例では、検出器出力シーケンス５１０に示すように、各フィルタが、特定の周波数バーストの存在（１の出力値によって示される）または不在（０の出力値によって示される）を適切に宣言する。検出器出力シーケンス５１０は、信号復号器およびエラー検出器５２０に入力され、信号復号器およびエラー検出器５２０は、シンボルをデータに復号する（すなわち、バーストのシリーズによって指定されたシンボルを、対応するデータビットにマッピングする）。信号復号器およびエラー検出器５２０は、受信クラスタにエラーが存在するかについても判定する。
【００６１】
図８は、送信クラスタの例示的なシーケンスと、これらのクラスタのそれぞれについて、３つの個々のバースト検出器からの例示的な出力とを示す。確定されたシグナリング方法では、各周波数は、シンボルあたりせいぜい１回使用することができる。したがって、個々の検出器５００が、特定の周波数の存在を２回以上宣言する場合、検出にエラーがあるはずである。たとえば、第３シンボルについて（すなわち、クラスタ５０７）、ｆｋ検出器およびｆ２検出器は、適切なタイムスロットにおいて、ｆ１周波数バーストおよびｆ２周波数バーストの存在を適切に宣言したが、ｆ０検出器は、第２タイムスロットおよび第３タイムスロットの両方においてｆ０バーストの存在を宣言した（図８の６００参照）。同じ周波数の複数検出の存在を使用して、受信シンボルが無効であると宣言することができる。そのチャネルのエラービットも、１に設定される。同様に、第５シンボルの宣言は、周波数ｆ２が２回宣言されたことを示し、したがって、この検出にはエラーがあり（図８の６１０参照）、したがって、チャネル２のエラービットは、そのシンボルについて設定される。２つ以上のチャネルが同じ周波数を２回宣言した場合、それらのチャネルのそれぞれのエラービットが設定される。
【００６２】
この技法は、たとえば、マルチバンド符号化方式が、周波数サブバンドあたり２つ以上のバーストを必要とした場合、修正することが可能であることを理解されたい。たとえば、他の実施形態において、符号化方式が、バーストをクラスタで特定の回数（たとえば、２回）、各周波数サブバンドにおいて送信することを必要とした場合、信号復号器およびエラー検出器５２０は、所与のサブバンドにおいてクラスタ内で検出されたバーストの数が、指定数と異なるとき、検出するように構成することが可能である。たとえば、所与のバースト検出器が、クラスタ中に１回のバーストの出現を検出しただけである場合、シンボルにエラーがあると宣言することができる。同様に、所与のバースト検出器が、クラスタ中にバーストの出現を３回検出した場合、シンボルにエラーがあると宣言することができる。
【００６３】
ＴＤＭＦなど、シンボルが複数の周波数バンドからのバーストからなるシグナリング方法について、エラービットを設定する代替方法は、各当初検出されたシンボルを、エラー訂正コードによって再構築された対応するシンボルと比較するものである。ＴＤＭＦシグナリングの一実施形態では、シンボルは、ｎの周波数の順序シーケンスからなる。誤差訂正コードが当初検出されたシンボルを、異なる順序のそれらの周波数からなるシンボルと置換した場合、エラービットは、シーケンスにおける位置を変更した各周波数について設定される。エラー訂正コードの適用後、置換されたシーケンスが元と同一である場合、エラービットは設定されない。
【００６４】
図６の比判定法４６０を使用する代替形態は、すべてのチャネルにおける平均エラー数に関して、１つの周波数チャネルによる異常の多数のエラーの干渉検出の決定に基づくものである。サブバンド干渉がない場合、周波数バンドによるエラーの数は、ｎの周波数バンドにわたって均等に分散されるはずである。ｍを、エラーシンボルＮｋ、ｋ＝１，２，．．．，ｎのｎカウンタ値の平均と定義する。検出閾値Ｔ＞１を定義する。Ｎｋ／ｍ＞Ｔである場合、チャネルｆｋについて狭帯域干渉が宣言される。たとえば、狭帯域インターフィアラ（ｉｎｔｅｒｆｅｒｅｒ）は、閾値Ｔを超えるように、１つの特定の周波数バンドについて過度の数のエラーを生じさせる。
【００６５】
この方法は、送信シンボルの各周波数バンドのそれぞれの使用について、一様な分布を暗に想定している。したがって、各周波数ｆｋを含むシンボルの数は、ｋのすべての値についてほぼ同じである。これが当てはまらない場合、論理を以下のように修正することが可能である：周波数ｆｋを含むシンボルの総数の別々のカウントＭｋを維持する。各周波数ｆｋについて、
【００６６】
【数４】
2006503452.tif 000006
【００６７】
を定義し、かつ
【００６８】
【数５】
2006503452.tif 000007
【００６９】
を定義する。あるｋについて、
【００７０】
【数６】
2006503452.tif 000008
【００７１】
である場合、チャネルｆｋについて狭帯域干渉が宣言される。
【００７２】
個々のサブバンドが、ＵＷＢサブバンド通信システムのレシーバにおいて、スペクトルについて十分に隔離されていない場合、１つのサブバンドにおいて送信された信号により、他のサブバンドに干渉が生じる可能性がある。これは、たとえば、レシーバに入力される際に個々のバンドを分離するために使用されたバンドパスフィルタが、周波数応答について著しく重複をしている場合の事例である。
【００７３】
各サブバンド内のバーストが、時間について互いに十分に隔離されている場合、時間ゲーティングを使用して、バンド間の干渉を排除することが可能である。個々のサブバンドからのバーストが、ＴＤＭＦシグナリング方法の場合のように、時間について接近して送信される場合、外部干渉ではバーストの時間が接近しているので、シグナリング自己干渉を見落とすことのない干渉検出方法を提供することが有用である可能性がある。
【００７４】
図９は、本発明の方法の代替実施形態の制御流れ図を示す。この場合、シンボルを備える１群のバーストの第１バーストを使用して、周波数バンドｋが使用される場合にシンボルにエラーがある確率を推定する。この実施形態では、シンボルにおいて使用される第１周波数の適切な識別を示す指標が、エラービットと共に、バースト検出器から干渉検出器（たとえば、干渉検出器１５５）に渡される。これは、たとえば、エラー訂正コードによって再構築されたシンボルの第１周波数の識別とすることができる。開始のコマンドが出されと、ブロック７００が、次のシンボルのエラービットをフェッチする。次いで、ブロック７１０が、すべてのビットが０であるかを調べるために、エラービットを調査する。そうである場合、シンボルは適切に受信されており、制御は、ブロック７００に戻って、エラービットの次のセットを待つ。そうでない場合、ブロック７２０が、シンボルの適切な第１周波数の識別を決定する。次いで、ブロッ７３０が、第１位置においてその周波数を使用した受信シンボルのランニングカウントを増大させる。ブロック７４０が、識別された第１周波数のエラービットが設定されたかを判定する。そうでない場合、この周波数は、当初のシンボルにおいて適切に検出されており、制御は、ブロック７００に戻って、エラービットの次のセットを待つ。そうである場合、その周波数のエラーカウントは、ブロック７５０において増大される。次いで、その周波数がシンボルの第１バーストである場合のシンボルエラーの数Ｎｋとシンボルの総数Ｓｋとの比が、閾値Ｔを超えるかを判定するために、試験７６０が行われる。超えない場合、制御は、ブロック７００に戻り、エラービットの次のセットを待つ。超える場合、ブロック７７０において、周波数ｋによって表されるチャネルについて、干渉が宣言される。
【００７５】
図９に示した方法は、マイクロプロセッサで、または離散論理によって、あるいは当業者には明らかであるあらゆる他の方法によって、実施することが可能である。一実施形態では、図９の方法は、図３および４の干渉検出器１５５によって実施される。
【００７６】
実用上の理由で、図５、６、および９の数ＮｋおよびＭｋは、無制限に大きくなることを可能にすることはできない。これに対処する１つの方法は、ＮおよびＭのカウンタを周期的にリセットして、閾値試験を再び実施する前に、信頼できる統計を計算するのに十分な数のシンボルを獲得するのを可能にするものである。
【００７７】
閾値比較の再開前に、必要な新しいシンボルの数を低減するために使用することができる方法は、簡単なフィルタを、各サブバンドｋのφｋおよびφの値に適用するものである。たとえば、
【００７８】
【数７】
2006503452.tif 000009
【００７９】
を定義し、かつ
【００８０】
【数８】
2006503452.tif 000010
【００８１】
を定義する。ｔｊは、ｊ番目の時間ステップを表す。０＜α＜１、φ（０）＝φｋ（０）＝０、ｋ＝１，２，．．．，ｎである。ＮｋおよびＭｋのカウンタを０にリセットするｔｊ＝ｔ０＋δｔについて、周期的な値が選択される。フィルタ効果のために、閾値比較を再開する前に、必要とされる新しいシンボルの数はより少数になる。
【００８２】
他の実施形態では、シンボルの到着が予定されていないとき、所与の周波数サブバンドを経て到着する過剰エネルギーを検出するために、個々のバースト検出器の出力に結合された余分な回路を使用することによって、干渉信号を検出することが可能である。そのような過剰エネルギーは、狭帯域干渉の強力なインジケータであるが、より一般的には、周波数バンドにおける大量の意図していないエネルギーにより、そのバンドにおいて多数のエラーが生じる可能性が高い。
【００８３】
図２９は、例示的なマルチバンドレシーバにおける干渉検出器の使用を示す。シグナリングが、アンテナ２５０２に到着して、たとえばそれぞれが適切なサブバンドのためのバンドパスフィルタを含むバースト検出器２５０４ａ、２５０４ｂ、および２５０４ｃのそれぞれに結合される。シンボル検出器２５０６が、バーストの到着順序に基づいてシンボルを検出して、検出シンボルを出力し、検出シンボルは、対応するデータにマッピングされる。干渉検出器２５０８も、所与のバンドにおける過剰エネルギーを検出するために、各バースト検出器２５０４の出力に結合される。たとえば、図２９に示したように、周波数ｆ０を囲むバンドは、干渉検出器２５０８に結合される。同様の干渉検出器が、バースト検出器２５０４ｂおよび２５０４ｃの出力に結合されるが、これらは、簡単化のために図２９から省略されている。特定の周波数サブバンドにおけるシグナリングが予期されていないとき、スイッチが、干渉検出器経路を通るようにフィルタリング済み信号を向ける。
【００８４】
干渉検出器２５０８の回路は、信号を２乗し（ブロック２５１０）、信号を積分し（ブロック２５１２）、信号エネルギーを計算し、次いで、時間について平均する（ブロック２５１４）。時間平均ブロック２５１４の出力は、シグナリングが予期される時間期間中に受信された平均意図的エネルギーを表す信号と比較される。すなわち、バーストが所与のサブバンドにおいて予期されるとき、信号は２乗され（ブロック２５１６）、積分され（ブロック２５１８）、時間について平均され（ブロック２５２０）、および増幅される（ブロック２５２２）。比較（ブロック２５２４）におけるエネルギーが閾値を超える場合、狭帯域干渉が存在し、宣言される。利得（ブロック２５２２）は、望ましくないエネルギーの平均が、閾値を超えないように、所望の信号エネルギーよりはるかに小さくなるように選択されるべきであり、それにより、干渉（存在する場合）は、著しいエラーを生じさせるように十分大きくなる。
【００８５】
本発明の一実施形態の目的は、通信に使用され、１つまたは複数の干渉源からの干渉の影響を受けた１つまたは複数の周波数バンドを、装置による通信に目下使用されていない１つまたは複数の周波数バンドと置換する方法を提供することである。
【００８６】
１セットの周波数バンドからバンドの１サブセットを選択するために、様々な方法を適用することができる。一実施形態では、バンドは、利用可能なバンドから無作為に選択される。
【００８７】
他の実施形態では、バンドは、中心周波数の大きさなどの順序付け基準、またはバンドの番号付けに基づいて、選択される。
【００８８】
第３実施形態では、バンドは、最少量の干渉を含んでいるバンド、干渉源から最も遠いバンド（周波数領域ドメインにおいて）など、品質基準に基づいて選択される。
【００８９】
第４実施形態では、バンドは、すでに使用されているバンドとの関係に基づいて選択される。たとえば、バンドは、すでに使用されているバンドとの隣接関係に基づいて選択することが可能であり、または、結果的な構成におけるバンドの中心周波数間の距離が、最大または最小となるように選択することが可能である。
【００９０】
この代替バンドの選択は、不干渉状態において置換されているバンドと比較して、より悪い、同等の、またはより良い通信性能を提供する可能性があるが、干渉条件において置換されているバンドより良好な性能を提供するように選択されることが好ましい。
【００９１】
世界的な規制または共存の用件を満たすために、バンドを追加および削除することによって、干渉信号に適応することを考慮することが、同様に可能である。
【００９２】
２つまたはそれ以上の装置間の通信に使用されるバンドのセットを変更することは、一般に、通信に使用されるバンドの変化に従って、装置が、データ値を符号化および復号するコーディング方式を変更することを必要とする。
【００９３】
図１０は、図２に記述した方法を示し、それにより、通信装置は、スループットを失わずに、周波数の「使用」セットを変更することによって、干渉に適応する。図示したように、通信装置は、通信に利用可能な４つのバンドを有し、そのうちの３つのバンド（バンド１から３）が使用され、一方、図１０のバンド１０００（バンド４）は、使用されていない。狭帯域干渉源１０１０が、通信に目下使用されているバンド２（図１０の１０２０）と干渉する。
【００９４】
図２を参照すると、装置は、ステップ２００においてチャネルを監視することによって、ステップ２１０において、図１０の強い干渉１０１０がバンド１０２０に存在し、したがって、バンド１０２０は、もはや通信に使用されるべきではないと判定する（たとえば、図５、６、９、および２６に関して記述されるような方法を使用して）。装置は、図２のステップ２２０において、スループットを失わずに、構成を干渉に適応させることが可能であると判定する。ステップ２３０において、装置は、図１０のバンド１０００を使用して、干渉バンド１０２０を置換することができると判定する。装置は、バンド１、３、および新しく選択されたバンド４（図１０の１０００）を使用するデータコーティング方式を決定する。ステップ２４０において、装置は、構成変更の共動装置を通知し、ステップ２５０において、新しい構成に切り替える。
【００９５】
図１１は、切替え後の構成を示す。バンド１、３、および新しく選択されたバンド４は、「使用」セットを形成し、一方、「利用可能」は空であり、「干渉」セットは、依然として干渉を受けるバンド２（１０３０）を含む。
【００９６】
図１０および１１は、通信装置が、全体で４つの利用可能な周波数バンドを有し、そのうちの３つが使用されている状況を示すが、利用可能なバンドおよび使用されているバンドの正確な数、それらの周波数範囲、ならびにバンド幅は、変化する可能性があり、決して本発明を限定すると見なされるべきではない。
【００９７】
図１２は、図１０および１１による構成の変更を示す。図１２の上行は、干渉前の構成を示す。「使用」セットは、バンド１、２、および３を備え、一方、残りのバンド４は、「利用可能」セットのメンバである。中間行において、装置は、周波数バンドの監視後、バンド２が干渉源を含み、したがって、バンド２を「干渉」セットに含むと判定する。下行において、図１２は、干渉バンド２が、「利用可能」セットから除去されたバンド４と置き換えられた後の構成を示す。
【００９８】
図１０によれば、表１は、３つのサブバンドまたは単にバンドであるバンド１、２、および３を使用して、データを符号化する方式の一実施形態を示す。データは、３つの周波数バーストのシーケンスからなるクラスタに符号化される。たとえばデータ値３を符号化するために、バンド２、３、および１の周波数バーストからなるクラスタが、連続タイムスロット中に、順序バンド２、３、および１で放出されたバーストと共に送信される。すなわち、ｆ２、ｆ３、およびｆ１のバーストが、データ値３を符号化するために、連続タイムスロットにおいて放出される。
【００９９】
【表１】
2006503452.tif 000011
【０１００】
表２は、本発明による符号化表の例を示す。この場合、表は、図１１に示した周波数バンド、すなわちバンド１、３、および４を使用する値の符号化に備える。たとえば、値３を符号化するために、バンド３、４、および１の周波数バンドからなるクラスタが、連続タイムスロット中に、順序バンド３、４、および１で放出されたバーストと共に送信される。すなわち、ｆ３、ｆ４、およびｆのバーストが、データ値３を符号化するために、連続タイムスロットにおいて放出される。しかし、新しい符号化方式は、いくつかの方式で実施することが可能である。たとえば、表１の符号化方式を使用することが可能であるが、バンド４のバーストを干渉バンド２のバーストの代用とする。
【０１０１】
【表２】
2006503452.tif 000012
【０１０２】
図１３は、図２に記述した方法を示し、それにより、通信装置は、スループットを低減させて、周波数バンドの「使用」セットを変更することによって、干渉に適応する。すなわち、干渉バンドは除去され、他のバンドとは置換されない。図示したように、通信装置は、通信に利用可能な４つのバンドを有し、そのすべてが使用されている（「使用」セットのメンバ）。装置は、図２のステップ２１０において、バンド２（１２１０）の干渉１２００を検出し、ステップ２２０において、利用可能なバンドが存在しない（「利用可能」セットが空である）ので、スループットを失わずにバンド２を除去することができないと判定する。ステップ２６０において、装置は、スループットの低減が許容可能であると決定し、バンド２を「使用」セットから除去し、それを、ステップ２７０において代わりに「干渉」セットに追加する。
【０１０３】
図１４は、ステップ２４０において新しい構成を伝達し、ステップ２５０において新しい構成に切り替え、結果としてスループットが低減された後の、周波数バンドの使用を示す。
【０１０４】
図１５は、図１３および１４に従って構成を変更するときの構成の変化を示す。図１５の上行は、干渉前の構成を示す。すべての利用可能なバンドが、通信プロセスによって使用され、したがって、「使用」セット１３００のメンバである。「利用可能」セットおよび「干渉」セットは、空である。中間行は、装置がバンド２において干渉を検出した後のセットを示す。下行は、３つのバンド１、３、および４のみを通信に使用する新しい構成に切り替えた後の構成を示す。残りのバンド２は、「干渉」セットのメンバであり、したがって、干渉を含むとマークされる。
【０１０５】
図１３によれば、表３は、４つのバンド１、２、３、および４を使用してデータを符号化することができる方式の一実施形態を示す。データは、４つの周波数バーストのシーケンスからなるクラスタに符号化される。たとえばデータ値１６を符号化するために、バンド３、４、２、および１の周波数バーストからなるクラスタが、連続タイムスロット中に、順序バンド３、４、２、および１で放出されたバーストと共に送信される。すなわち、ｆ３、ｆ４、ｆ２、およびｆ１のバーストが、データ値１６を符号化するために、連続タイムスロットにおいて放出される。３つの周波数バンド１、３、および４に構成を切り替えた後、表２に示したようなコーディング表を使用することが可能である。
【０１０６】
【表３】
2006503452.tif 000013
【０１０７】
図１６は、図４に記述した方法を示し、それにより、通信装置は、スループットを増大させて、周波数バンドの「使用」セットを変更することによって、消滅干渉に適応する。図示したように、通信装置は、通信に利用可能な４つのバンドを有し、そのうちの２つが使用される（バンド１およびバンド３が、「使用」セットのメンバである）。バンド４（１４１０）は、利用可能であるが、使用されておらず、一方、バンド２は、バンド２における以前の干渉のために、「干渉」セットのメンバである。図２のステップ２００において、装置は、チャネルを監視し、ステップ２１０において、バンドのいずれにも干渉がないと判定し、バンド２を、「干渉」セットから「利用可能」セットに移動させる。ステップ２８０において、装置は、スループットの増大が望ましいと判定し、ステップ２９０において、すべてのバンドを「利用可能」セットから「使用」セットに追加する。
【０１０８】
図１７は、ステップ２４０において新しい構成を伝達し、ステップ２５０において新しい構成に切り替えた後の周波数バンドの使用を示す。その結果、すべての４つのバンドを使用することにより、スループットは増大する。
【０１０９】
図１８は、図１３および１４に従って構成を変更するときの構成の変化を示す。図１８の上行は、干渉環境の変更前の構成を示す。バンド１および３が、通信プロセスによって使用され、したがって、「使用」セット１５００のメンバである。「利用可能」セットは、バンド４を含み、「干渉」セットは、バンド２を含む。中間行は、装置が、バンド２の干渉が消滅したことを検出した後のセットを示す。下行は、すべての４つのバンドを通信に使用する新しい構成に切り替えた後の構成を示す。
【０１１０】
図１６によれば、表４は、バンド１および３という２つのバンドを使用して、図１６に従ってデータを送信するために使用されるデータを符号化することができる方式の一実施形態を示す。データは、２つの周波数バーストのシーケンスからなるクラスタに符号化される。たとえばデータ値０を送信するために、バンド３が続くバンド１の周波数バーストからなるクラスタ、すなわちｆ１およびｆ３のバーストが、データ値０を符号化するために、連続タイムスロットにおいて放出される。
【０１１１】
【表４】
2006503452.tif 000014
【０１１２】
本発明の目的は、新しいチャネル構成および新しいデータ符号化方式を他の参加装置に伝達する方法を提供することである。
【０１１３】
いくつかの実施形態では、トランシーバ対のそれぞれは、互いの成功通信リンクを確立するために、チャネル状態のコピーを含まなければならない。図１９では、トランシーバ１７００のチャネル構成は、データをトランシーバ１７１０のレシーバに送信するために、トランシーバ１７００のトランスミッタによって使用される。しかし、トランシーバ１７１０のレシーバにおいてデータを適切に受信するために、トランシーバ１７１０のレシーバは、データが送信されるチャネル構成を想定しなければならない。トランシーバ１７１０のチャネル構成は、データをトランシーバ１７００のレシーバに送信するために、トランシーバ１７１０のトランスミッタによって使用される。同様に、トランシーバ１７００のレシーバにおいてデータを適切に受信するために、トランシーバ１７００のレシーバは、データが送信されたチャネル状態を認識しなければならない。
【０１１４】
図１９に示したように、トランシーバ１７００は、通信リンクまたはチャネル１７２０上でトランシーバ１７１０と通信し、一方、トランシーバ１７１０は、通信リンクまたはチャネル１７３０上でトランシーバ１７００と通信する。たとえば、トランシーバ１７１０のレシーバが、チャネル１７２０上において所与のサブバンドに干渉信号が存在すると判定して、現行チャネル構成を変更する場合（たとえば、干渉バンドを利用可能バンドと置換する）、新しいチャネル構成が実施される前に、更新チャネル構成（チャネル状態）が、通信チャネル１７３０を介して、トランシーバ１７００のトランスミッタに再び伝達される。新しいチャネル構成を符号化するいくつかの方式が存在し、１つのそのような方式は、シンボルの特別なサブセットを制御信号として使用する。チャネル構成が実施されるまで、干渉の存在のために、新しいチャネル構成を含む通信は、おそらくはさらなるコーディングの使用または送信時のデータビットの冗長性を介した、おそらくはより堅牢な通信を必要とする。
【０１１５】
特定のトランスミッタによって使用されるチャネル状態は、すべてのトランシーバについて同じである必要はないが、１つの共通チャネル状態をすべてのトランシーバによって共有することができる。たとえば、トランシーバ１がデータをトランシーバ２に送信し、トランシーバ２がデータをトランシーバ３に送信する３つの装置のシステムでは、トランシーバ１のチャネル状態は、トランシーバ２のチャネル状態と整合する必要はない。図２０に示すように、トランシーバ１８１０に近いインターフィアラ１８００が、サブバンド３を使用不能にする可能性があるが、トランシーバ１８２０と１８３０との間の通信リンクとは干渉しない可能性がある。その結果、トランシーバ１８１０は、トランシーバ１８２０から情報を受信するためにサブバンド３を使用することができないが、トランシーバ１８２０は、トランシーバ１８３０に送信するために、サブバンド３を使用することができる。トランシーバ１は、情報を受信するためにサブバンド３を使用することができないが、インターフィアラ１８００が、トランシーバ２の観点から、サブバンド３と干渉するか否かに応じて、トランシーバ１は、サブバンド３において効果的に送信することが可能と考えられることに留意されたい。
【０１１６】
一実施形態では、チャネル状態は、シグナリングバンド（使用セット）、使用されていないバンド（利用可能セット）、および干渉バンド（干渉セット）の位置からなる。３つのセットのいずれか２つが、中心チャネルを完全に記述するが、その理由は、第３セットは、すべての周波数バンドを含むセットから他のセットを減算することによって導出することができるからである。
【０１１７】
新しいチャネル構成を中継する実施形態は、チャネル推定を実施したトランシーバから他のトランシーバに、チャネル状態のみ（「使用」バンド、「利用可能」バンド、および「干渉」バンドのセット）を送信する。図２１の第１例は、４つの周波数バンドを通信リンクに使用するシステムを示す。チャネル状態１６００は、「使用」セットおよび「干渉」セットによって表される。定義によって、「利用可能」セットは、「使用」セットと「干渉」セットとの和集合の補集合であり、この場合空であるが、その理由は、４つのバンド３つが、システムによって使用され、４つのバンドの１つが、インターフィアラによって損傷されるからである。第２例では、チャネル状態１６１０は、２つのバンド（サブバンド３および１）が使用され、１つのバンド（サブバンド２）が利用不可能であることを示す。その結果、サブバンド４は使用に利用可能であると推定することができる。
【０１１８】
図２２は、チャネル状態の他の例を示し、干渉セットと、「干渉」セットおよび「利用可能」セットの和集合を備える複合セットとを使用する。ブロック１６３０は、チャネル状態の一実施形態を示す。チャネル状態は、２つの周波数バーストからなる２つのクラスタに符号化される（すなわち、「使用」されている２つのサブバンドであるサブバンド１および３が存在する）。第１バーストは、「干渉」セットを表し、第２バーストは、「干渉」セットと「利用可能」セットの和集合を表す。サブバンド２が「干渉」セットにあることを示すために、第１バーストにおいて、データ値１が、サブバンド２上で送信され、データ値０が、サブバンド１、３、および４上で送信される。第２バーストにおいて、データ値１が、サブバンド２および４上で送信され、一方、データ値０が、サブバンド１および３上で送信される。「利用可能」セット１６４０を推定するために、２つの周波数バーストの出力は、ＸＯＲされ、その結果、サブバンド４において１となる。この例は、干渉を補助として使用する。チャネル状態を１つのトランシーバから他へ送信する際に、信号は、意図的に干渉バンドにある。この段階で、干渉検出器（たとえば、上記で記述した検出器１５５）は、干渉の位置、および干渉が存在する状態における利用可能バンドをも首尾よく推定することができる。
【０１１９】
通信装置は、「使用」バンドの共通セット上で送信および受信するので、チャネル構成は、「干渉」セットが既知であるとき、完全に特定される。したがって、チャネル状態情報を伝達する他の方法が、「干渉」セットをすべての装置にブロードキャストすることによって記述され、装置が、同じ方法を使用して、現行構成および干渉セットから新しい構成を導出する場合、新しいバンド構成を、現行構成および干渉セットから導出することができる。
【０１２０】
トランシーバ間でチャネル構成を伝達する他の実施形態は、チャネル状態と、変調、コーディング、シンボルレート、サブバンドのバンド幅、および／またはこれらの送信パラメータのあらゆる組合せなどの送信パラメータとを送信するものである。これらのコーディングは、基本的には、事前に確定されたマッピングまたは表に従って、信号制御のために確保された特別なシンボルの１サブセットであり、このサブセットは、新しいシステム構成を確定するために使用される。たとえば、シンボルＸＹＺを以下の要素にマッピングすることができる：使用周波数セット、利用可能周波数セット、干渉周波数セット、特定の変調、特定のコーディング方式、特定のデータレート、および特定のサブバンドのバンド幅。これの一例が、コーディング数「４」として本明細書において既知の特定のシンボルである。コーティング数「４」は、以下を表すことが可能である：｛１，３｝の使用周波数セット、｛２｝の干渉周波数セット、２進位相シフトキーイングの変調、レート１／２コード、シンボルレートの無変化、およびサブバンドのバンド幅の無変化。この数を使用して、上記で列挙した要素の任意の組合せを識別することもできる。代替実施形態は、複数のコーディング数を連結して、上記で記述した要素の任意の組合せを形成する。たとえば、トランシーバは、送信状況を表すために、３つの連結コードワードを使用することに合意することができる。この場合、第１コードワードは、利用可能な周波数セットを表し、第２コードワードは、干渉周波数セットを表し、第３コードワードは、残りのパラメータを表す。
【０１２１】
送信の堅牢性を改善する方法が、当技術分野において既知であり、雑音およびまたは干渉の存在下で、新しいチャネル構成、または単に「干渉」セットを装置間で送信するのに使用することが可能である。干渉、雑音、およびその他など、損なわれたチャネル上で確実な通信リンクを提供すると、システムの性能の低下など、大きな代償が伴うことがあり、したがって、これらの方式の一時的な使用は、チャネル構成情報の正確な送信および更新を見込む可能性があり、これにより、システムからインターフィアラが除去され、おそらくはそのような代償の大きい堅牢性を有する必要性が低減される。堅牢性を増大させるそのような方式は、ビット冗長性の使用、ならびにより簡単な変調方式、より小さいシンボルセット、より低い送信レート、より強力なエラー訂正コード、自動再送信要求プロトコル（ＡＲＱ）、その組合せ、または当技術分野において既知のあらゆる他の技法を含む。一実施形態は、情報をパケットにおいて符号化し、パケットをエラー訂正コードで保護し、次いで、それを宛先トランシーバに送信する。
【０１２２】
更新されたチャネル構成またはチャネル状態を第１トランシーバから受信した後、第２トランシーバは、成功受信を通知しなければならない。これは、しばしば、第１トランシーバから第２トランシーバにＡＲＱを送信することによって実施される。そのような確認後、新しいチャネル構成は、使用される。
【０１２３】
図２３は、ＵＷＢレシーバ８００のブロック図である。アンテナ８０７が、ＲＦフロントエンド８０１に結合され、ＲＦフロントエンド８０１は、ダウンコンバータ８０２に結合され、ダウンコンバータ８０２は、検出器８１０に結合される。ＲＦフロントエンド８０１は、信号を予備的に調整するためのものであり、信号の通過帯域およびレベルを設定する可能性がある。ＵＷＢマルチバンドの性質のために、この部分において、信号を分割することができることが考慮可能である。そのような場合、ＲＦスプリッタを使用することができる。代替として、チェーンにおいて後に、信号を分割することができる。
【０１２４】
図２３の次のブロックは、ダウンコンバートブロック８０２であり、ここで、ベースバンドまたはより低い中間周波数（ＩＦ）に、信号をダウンコンバートすることができる。この一実施形態は、当技術分野において既知であるように、ゼロＩＦまたは直接ダウンコンバージョンである。一般に、ダウンコンバータ８０２を含む実施形態では、送信されたＵＷＢ信号は、インパルスバーストとは対照的に、短い正弦波バースト（正弦波の少なくとも一部）を備える。
【０１２５】
図２４は、ゼロＩＦブロック８２２のアーキテクチャを示す。当技術分野において既知であるように、信号は、２つの異なるミキサ８０３に結合されて、ローカルオシレータ８０４からの信号と混合され、１つの信号は、他と９０度ずれている。任意選択として、フィルタ８０５および増幅器８０６が含まれる。共通の実施である多くの他のダウンコンバージョンの実施態様は、ヘテロダイン、スーパーヘテロダイン、および整合フィルタ（コリレータ）の使用を含む。図２４では、任意選択のフィルタ８０５の代わりに、積分器を使用することが同様に許容可能である。
【０１２６】
図２３の次のブロックは、ダウンコンバータブロック８０２から出力を受信する検出器８１０である。現在当技術分野において既知の最も適応的な検出器は、デジタル検出論理が続くアナログデジタルコンバータ（ＡＤＣ）である。ＡＤＣは、アナログドメインから、デジタル処理を可能にするデジタルドメインに信号を取り入れる。当技術分野において既知である信号を検出する他の方法は、コンパレータ、積分器、フィルタ、包絡線検出、および２乗検波器を含む。
【０１２７】
これらの手法を使用することが可能である実施形態が、図２８Ａ、２８Ｂ、２８Ｃ、および２８Ｄに示されており、単一検出器システム、多機能検出器システム、または専用ＶＣＯで事前に分割されるまたはされない信号と並行して共に使用される検出器を含む。
【０１２８】
図２８Ａは、１つの検出器８１７および１つのミキサ８０３を、多重化されるいくつかのＶＣＯ８１１、８１２、ならびに８１３と共に使用する実施態様を示す。マルチプレクサは、示されていないが、ミキサとすべてのＶＣＯとの間で使用される。ミキサ８０３への入力は、ＲＦフロントエンドからの出力および多重化ＶＣＯ信号である。この実施態様は、どの程度迅速に信号が検出器８１７をクリアすることができるか、どの程度迅速にＶＣＯを切り替えることができるか、およびどの程度迅速にマルチプレクサが作用することができるかによって、限定される可能性がある。
【０１２９】
図２８Ｂは、図２８Ａより簡単な実施態様を示し、１つの検出器８１７および１つのミキサ８０３を、唯一のＶＣＯ８１１と共に使用する。ミキサ８０３への入力は、ＲＦフロントエンドからの出力およびＶＣＯ信号である。複数周波数バンドを受信および検出するために、ＶＣＯ８１１は、周波数信号の到着より迅速に切り替えることができなければならない。おそらくは、この実施態様は、ＶＣＯを切り替え、かつ信号が検出器８１７をクリアするのに十分な時間を可能にするより遅いビットレートシステムに最適である。
【０１３０】
図２８Ｃは、２つ以上のミキサ８０３と共に２つ以上の検出器８１８、８１９を使用し、一方、多重化されるいくつかのＶＣＯ（８１１、８１２、８１４、および８１５、８１６、８１３）をも使用する実施態様を示す。マルチプレクサは、示されていないが、ミキサとＶＣＯとの間の各フィンガにおいて使用される。ミキサ８０３への入力は、ＲＦフロントエンドからの分割出力および多重化ＶＣＯ信号である。このシステムは、２つまたはそれ以上のフィンガを必要とする可能性があり、検出器８１８、１８９をクリアし、かつＶＣＯを切り替えるための受信信号の追加の寛大性を可能にする。信号は、フィンガのいずれかによって同時に検出することが可能である。
【０１３１】
図２８Ｄは、図２８Ｃの実施態様と同様の実施態様を示すが、図２８Ｄは、フィンガあたりＶＣＯ８１１および８１３を専用としていた点が異なり、おそらく、これは、より簡単なアークテクチャである。したがって、図２８Ｃのビットレートと等しいビットレートに対応するために、より多くのフィンガを有することが必要である可能性がある。この実施態様により、専用ミキサ８０３、ＶＣＯ、および検出器８１８、８１９によって、各バンドの定常的監視が可能になる。しかし、図２８Ｂの場合のように、異なる周波数に対して、ＶＣＯを迅速に変化させることができる。
【０１３２】
図２３に対する変更は、ダウンコンバータブロック８０２をスキップして、ＲＦブロック８０１から８１０検出器に直接進むものであり、包絡線検出器が続く１組のバンドパスフィルタを使用するなど、当技術分野には多くの既知の方法があることに留意されたい。
【０１３３】
ＵＷＢ通信に適しているトランスミッタが、記載されている（たとえば、特許文献３参照）。具体的には、極度に広いバンド幅のパルスを生成するインパルスゲートオシレータである。これは、オシレータおよびミキサを適切に選択することにより、ＵＷＢ信号を、ＤＣからミリメートル波の周波数の中心周波数で生成することができることを示唆する。これは、一実施態様が、バンドパスフィルタまたはパルス成形フィルタを使用して、信号のバンド幅を管理することができることをさらに示唆する。さらに、出力バンドパスフィルタの使用は、帯域外エネルギーをさらに限定することが可能である。任意選択増幅器の使用は、信号を信号ランチャ（ｌａｕｎｃｈｅｒ）に加える前であることが望ましい可能性がある。
【０１３４】
他の適切なトランスミッタ（たとえば、特許文献３参照）は、インパルスジェネレータおよびバンドパスまたはパルス成形フィルタを使用し、別々のオシレータおよびミキサを必要としない。
【０１３５】
好ましいトランスミッタの実施形態が、記載されている（２００２年９月２６日出願、TUNABLE OSCILLATOR、特許文献４参照）。これは、トランスミッタをチップセットに縮小するのを保証するのに特に有利である同調可能リングオシレータの使用を記載する。この手法は、バースト生成のための共通論理回路および複数の遅延線を含むオシレータを記載する。各遅延線は、入力端子において状態遷移を受信し、かつ対応する遅延後、出力端子において対応する状態遷移を出力するように構成される。各遅延線の出力端子は、共通論理回路の対応する入力端子を有する電気回路にあり、遅延線のそれぞれの入力端子は、共通論理ユニットの出力端子を有する選択可能電気回路にある。共通論理回路は、共通論理回路の入力端子のいずれか１つにおける状態遷移に応答して、出力端子において状態遷移を出力するように構成される。さらに、バーストジェネレータおよびトランスミッタの構成が記載される（２００２年９月２６日出願、TUNABLE OSCILLATOR、特許文献４参照）。
【０１３６】
図２５は、データ転送および干渉の識別ならびに適応を組み込むトランシーバ（たとえば、図１９の各トランシーバ１７００および１７１０のそれぞれに使用される）の実施態様を示す。ブロック８０１、８０２、および８０３は、図２３の以前に記述した一般的なレシーバである；構成決定ユニット７７７７が、図２からの以下のブロック、２００、２１０、２２０、２３０、２６０、２７０、２８０、および２９０を実施する。すなわち、一実施形態では、ブロック７７７７は、干渉検出器を含む。構成決定ユニット７７７７は、無作為バンドをリスンして干渉を検査するため、またはおそらくはトレーニング信号の一部として送信される指定された時間またはシンボルを待つために、高位層制御ユニット７７８０からの命令を待つ。７７７７が干渉を検出しない場合、７７８０に与えられる制御信号はゼロである。しかし、７７７７が干渉を検出する場合、７７７７は、適切な構成をまず選択し（図１０〜１８の技法など、保証技法に基づいて）、次いで、この情報をブロック７７７８（チャネル構成トラッカ）およびブロック７７８０の上に渡す。チャネル構成トラッカは、それについて２つの機能セクションを有し、一方は、現行チャネル構成であり、他方は、新しく定義された構成である。新しく定義された構成は、ブロック７７８０で他のトランシーバからＡＣＫ（肯定応答）を再び受信するまで、実施されない。ブロック７７８０では、７７７７から入力を取り入れ、それをパッケージして、それを他のトランシーバに送信させる。たとえば、情報は、エンコーダ２００において符号化され、適切な信号が生成され（信号ジェネレータ３００において）、アンテナ８０７を介して送信される。ブロック７７８０は、ＡＣＫを待ち、待機が時間切れとなる場合、ＡＣＫを受信するまで、構成の詳細を再送信する。ブロック７７８０は、この送信では、他のトランシーバがまだ構成を更新していない可能性があるので、既存の構成および／または新しい構成を送信することが可能である。ＡＣＫが受信された後、ブロック７７８０では、ブロック７７７８、８０２、および２００を更新して、新しい構成をアクティブにする。他のトランシーバでは、この新しい構成の受信後、１つが、図２の部分２４０である新しい構成の詳細を受信したものが、そのチャネル構成を更新し、新しい構成を使用して、信号のリスンを開始する。このトランシーバは、ＡＣＫが受信されなかった場合、旧構成の監視を見込む可能性もある。
【０１３７】
図２６は、図２５の構成決定ユニット７７７７ａの一実施態様を示す。この実施形態では、７７７７ａの機能構成要素は、干渉信号の存在を検出する干渉検出器７７８２、および構成の変更を実施するためにサブバンド割り当てを適切に変更する干渉補償器７７８４を含む。図示したように、検出器８１０からの入力は、干渉検出器７７８２に結合され、干渉検出器７７８２は、干渉信号がサブバンドにおいて検出される場合に干渉補償器７７８４に通知する。一実施形態では、７７８２は、干渉信号の存在または不在をチャネル構成トラッカ７７７８および制御ユニット７７８０に出力し、一方、７７８４は、干渉信号の存在下において動作の続行を可能にするために、更新または修正されたチャネル構成を出力する。
【０１３８】
いくつかの実施形態によれば、干渉補償器７７８４（および一般に構成決定ユニット７７７７）は、上記で記述した方法のいくつかを実施する。たとえば、いくつかの実施形態では、７７８４は、図２のブロック２２０、２３０、２６０、２７０および２８０を実施する。７７８４の機能は、他の機能ブロックの範囲内において多様に実施することが可能であり、本発明のいくつかの実施形態により依然として維持することが可能であることも理解されたい。
【０１３９】
図２７は、図２５の高位層制御ユニット７７８０を示す。この制御ユニット７７８０は、チャネル構成９０００、新しい構成９００１、およびデータ９００２（検出器８１０から直接）の入力を備える。チャネル構成の入力は、ブロック７７７８から来て、現行チャネル構成を与える。新しい構成入力９００１は、選択された新しい構成に関する情報を渡すために、ブロック７７７７から来る。データ入力９００２は、ブロック８１０から来るものであり、受信、検出、および復号される信号である。出力９００３（更新変更）、９００４（チャネル構成）、９００５（データ）、および９００６（干渉制御信号）は、トランシーバの様々な部分と通信する。出力９００３は、ＡＣＫを戻すとすぐに新しい構成を可能にするように、ブロック７７７８と通信する。出力９００４は、トランシーバ通信が続行されるのを見込むように新しい構成を規定する目的で、ダウンコンバータブロック８０２およびエンコーダブロック２００を更新する。出力９００５は、ブロック２００と通信し、ＡＣＫの受信を容易にするように、新しい構成の詳細を他のトランシーバに送信するために使用される。出力９００６は、干渉が存在するかを知るためにブロック７７７７と通信する。すなわち、干渉が検出されない場合、ゼロであり、または、新しい選択構成の詳細と共に１を受信する。
【０１４０】
本発明のいくつかの実施形態によれば、通信に使用されるバンド（サブバンドとも呼ばれる）の構成を調節することによって、マルチバンド通信システムを干渉源に適応させる方法が提供される。１つまたは複数の通信装置が、干渉源について通信チャネルを監視し、存在する干渉が構成の調節を必要とすると判定すると、対応措置を決定し、措置を通信に含まれる他の装置に伝達し、本発明により干渉に適応させる。可能な対応措置の中で決定する際に、装置が、規制団体によって課される周波数範囲の制約、確実な通信のためのまたは規制団体によって設定された最小周波数バンド、可能な送信電力レベル、および当技術分野において既知の決定に影響を与えるような他のパラメータを含めて、決定空間の限界を考慮すると想定する。
【０１４１】
以下の実施形態では、干渉に柔軟に適応する方法が提供される。この方法では、マルチバンドシグナリング方式の１つまたは複数の周波数サブバンドが、たとえば、１つまたは複数のサブバンドの中心周波数および／またはバンド幅を変更することによって、シフトされ、調節され、および／またはそうでない場合は修正される。これは、固定サブバンドが除去、追加、および他の固定サブバンドと置換されるという、たとえば図１０〜１８を参照して記述した方法と対照的である。これらの柔軟適応方法は、一般に、所与のトランスミッタとレシーバとの対（たとえば、２つの通信トランシーバ）が、検出干渉信号（干渉）に反応してシフト、調節、および／または修正されたサブバンドに従って、動作中に送信および受信されるシグナリングを変更することができることを必要とする。そのようなトランスミッタおよびレシーバの一部の例を図３０〜３４に示し、一方、様々な適応方法の例を、図３５〜４０に示す。
【０１４２】
以下の記述では、唯一の干渉源のみが存在すると想定する。しかし、当業者には、提示される方法は、方法を適用するときに２つ以上の干渉源を同時に考慮することによって、または方法を反復して適用して、反復あたり１つの干渉源を考慮することによって、複数干渉源に同様に適用可能であることが容易に明らかになるであろう。
【０１４３】
図３５を参照すると、装置が、通信に使用されるバンドの１つまたは複数において、干渉を検出した（たとえば、上記で記述した干渉検出器１５５または７７８２によって）後に、本発明の一実施形態による方法が、ステップ３２００において開始される。干渉源が、中心周波数およびバンド幅によって特徴付けられる。ステップ３２００において、装置は、干渉源によって影響を受けた周波数バンド（本明細書では周波数サブバンドとも呼ばれる）が、干渉の周囲で分割されるべきであるかについて判定を行う。分割により、小さいバンド幅の２つのサブバンドが得られる。この状況を、周波数バンド３３００が干渉源３３１０の影響を受けている、図３６に示す。分割中、バンド３３００は、バンド３３００より小さいバンド幅の２つのサブバンド３３２０および３３３０に分割される。
【０１４４】
干渉されたバンドを分割するかについての判定は、通信装置がより多くのバンドを支持することができるか、結果的なサブバンドが、それぞれ、通信が成功するのに十分なバンド幅を提供するか、または、当技術分野において既知の他の決定ファクタに基づく可能性がある。
【０１４５】
ステップ３２００において、影響を受けたバンドは分割されるべきであると判定した後、装置は、ステップ３２０５において、通信に使用されるバンドの新しい構成を選択し（チャネル状態情報とも呼ばれる）、それにより、干渉によって影響を受けたバンドは、２つのサブバンド（図３６の３３２０および３３３０）と置換される。
【０１４６】
図３６の当初のバンド３３００の代わりに、これらのサブバンドを使用するために、装置は、図３５のステップ３２５０において、新しい構成を他の通信装置に伝達する。たとえば、図１９のシステムでは、トランシーバ１７１０のレシーバ（干渉を検出して、サブバンド３３２０および３３３０の作成を決定する）（各トランシーバは、図２５〜２７に示したように実施することが可能である）は、この決定および新しい構成を、トランスミッタによって使用するために、通信チャネル１７３０を介してトランシーバ１７００のレシーバに伝達する。
【０１４７】
新しい構成を首尾よく伝達するとすぐに、装置は、ステップ３２６０において新しい構成を変更し、新しい構成において通信を続行する。
【０１４８】
ステップ３２００において、装置が、影響を受けたバンドを単に分割することによる分割が適切ではないと判定する場合、ステップ３２１０において、分割が干渉源の周囲において行われるべきであるかについて判定し、それにより、分割されていないバンドの１つまたは複数の割り当てられるバンド幅も同様に変更することが可能になる。この状況を、図３７に示す。この図では、バンド３４００が干渉源３４１０によって干渉されている。バンド３４００をサブバンド３４２０および３４３０に分割した後、インターフィアラ３４１０より下のバンド３４４０および３４２０のバンド幅は、十分なバンド幅を有する新しいサブバンド３４２０を提供するように調節される。インターフィアラより上のバンド内におけるバンド幅の同様に再分布が実施され、バンド３４３０および３４５０について、適切なバンド幅がもたらされる。
【０１４９】
干渉バンドを分割するかについての判定は、通信装置がより多くのバンドを支持することができるか、結果的なバンドが、それぞれ、通信が成功するように十分なバンド幅を提供するかに基づく可能性があり、または、当技術分野において既知の他の決定ファクタに基づく可能性がある。
【０１５０】
図３５のステップ３２１０において、装置が、干渉されているバンドを分割すべきであると判定する場合、装置は、ステップ３２１５において、新しい構成を選択して、影響を受けたバンドを２つのサブバンドに分割し、各バンドが通信に十分なバンド幅を提供するように、バンド幅を再分布させる。次いで、装置は、ステップ３２５０において続行される。
【０１５１】
装置が、ステップ３２１０において、影響を受けたバンドの分割が適切ではないと判定する場合、装置は、ステップ３２２０において続行され、そこで、装置は、干渉器のスペクトルが、通信に使用されるバンドの１つまたは複数の間もしくは縁にあるようにバンドをシフトさせることによって、干渉源の影響を緩和することができるかについて判定する。この状況を、バンド３５００が干渉３５１０の影響を受けている図３８に示す。インターフィアラの影響を緩和するために、すべてのバンドの中心周波数は、干渉が２つのバンドの間、最低より下、または最高より上にあるように、シフトされる。好ましい実施形態では、すべてのバンドが、同じオフセットだけシフトされるが（図３８の定数ｃ）、バンドのいくつかのみをシフトさせる、または、可能であれば異なる方向に、異なるオフセットだけバンドをシフトさせることが同様に可能であることを十分に理解されたい。
【０１５２】
バンドをシフトさせるかについて、図３５のステップ３２２０において行われる判定は、スペクトルの他の部分の追加の干渉の存在、スペクトルのどの部分を装置によって通信に使用することが可能であるかなどの規制制約、信号の送信品質に関するスペクトルの特性、または当技術分野において既知の他の基準に基づいて行われる可能性がある。
【０１５３】
ステップ３２２０において、装置が、通信バンドがシフトされるべきであると判定する場合、装置は、ステップ３２２５において、シフト済み周波数バンドを使用する新しい構成を選択する。次いで、装置は、ステップ３２５０において続行される。
【０１５４】
装置が、ステップ３２２０において、周波数バンドは分割されるべきではない（またはできない）と判定する場合、装置は、ステップ３２３０において続行され、そこで、バンド内干渉を回避するために、影響を受けたバンドのバンド幅を縮小することが可能であるかについて判定を行う。図３９は、この手法を示す。この図では、バンド３６００が干渉３６１０によって干渉されている。装置は、図３９の下方セクションにおいて示すように、干渉をバンドの外に移動させるために、バンド３６００のバンド幅を縮小することを選択することが可能である。
【０１５５】
干渉によって影響を受けたバンドのバンド幅を縮小するかについての判定は、干渉が影響を受けたバンド内に位置するか、縮小されたバンド幅が、通信リンクによって提供される所望のサービス品質を維持するのに十分であるか、または当技術分野において既知の他のファクタに基づく可能性がある。
【０１５６】
ステップ３２３０において、装置が、影響を受けたバンドのバンド幅を縮小することによって、干渉を回避すべきであると判定する場合、装置は、ステップ３２３５において、縮小されたバンド幅におけるバンド、ならびに干渉源によって影響を受けていない他のバンドを備える新しい構成を選択する。次いで、装置は、ステップ３２５０において続行される。
【０１５７】
ステップ３２３０において、装置が、影響を受けたバンドのバンド幅の縮小のみでは十分ではないと判定する場合、装置は、ステップ３２４０において、干渉によって影響を受けていないバンドの１つまたは複数のバンド幅を縮小することが当を得ているかについて判定を行う。この状況を図４０に示す。この図では、バンド３７００が、干渉３７１０の影響を受けている。バンドは、干渉の上に移動され、それにより、バンド幅を縮小する。結果的なバンド幅は、隣接バンド３７２０のバンド幅と組み合わされて、図４０の下方セクションにおいて示す２つのバンドの中に再分布される。
【０１５８】
２つが、干渉を回避するために、バンドのバンド幅を再分布させるかについての判定は、利用可能なバンド幅、干渉の位置、または当技術分野において既知の他の特性に基づく可能性がある。
【０１５９】
装置が、ステップ３２４０において、バンド幅を縮小および再分布させるべきであると判定する場合、実行は、ステップ３２４５において続行される。そこで、装置は、バンド内におけるバンド幅の再分布を組み込む新しい構成を選択する。次いで、実行は、ステップ３２５０において続行される。
【０１６０】
ステップ３２４０において、装置が、バンドのバンド幅を再分布させるべきではないと判定する場合、装置は、影響を受けたバンドを通信に使用することから完全に除去することを決定する可能性がある。この時点において、以前に記述した方法の１つまたは複数（たとえば、図１０〜１８において）を使用して、固定サブバンドの解決法に影響を与えることが可能である。たとえば、影響を受けたバンドを除去する、または通信に利用可能な追加のバンドと置換することが可能である。
【０１６１】
当業者なら、提示される方法は、たとえば、決定を異なる順序で適用することによって、またはある決定を省略することによって、様々な方式で修正することができることを容易に理解するであろう。たとえば、システムが、バンドをサブバンドに分割するのを支持しない場合、図３５のステップ３２００および３２１０において行われる決定を省略することが可能である。すなわち、干渉に柔軟に適応する方法は、図３５に集団的に示したように、図３６〜４０に記述した方法の１つまたは複数を含むことが可能である。
【０１６２】
呈示される方法は、有限状態マシン、メモリを有するマイクロプロセッサ、または条件に基づいて取るべき行為を決定する当業者には既知の他の方式を使用して実施するように、低減することが可能である。
【０１６３】
干渉源が中心周波数およびバンド幅によって特徴付けられた後、そのような干渉に対する対応措置を、通信に含まれる装置に伝達する必要がある。１つの方法は、シグナリングに使用される周波数バンドの新しい中心周波数およびバンド幅をブロードキャストするものであり、この場合、「使用」バンドのそれぞれの新しい中心周波数およびバンド幅は、以前に記述した対応措置アルゴリズムによって決定される。しかし、当業者には、すべての装置が同じ対応措置アルゴリズムを使用することを条件として、ここで呈示される方法は、干渉の中心周波数およびバンド幅のみが、通信に含まれるすべての装置にブロードキャストされる方法に等しく適用可能であることが明らかであろう。この等価な方法は、干渉源の数がシグナリングバンドの数より少ない場合、より効率的である。
【０１６４】
装置間において情報を搬送する方法が、当技術分野において既知である。システム構成を伝達する一実施形態は、中心周波数およびバンド幅の情報をパケットに符号化し、パケットをエラー訂正コードで保護し、次いでトランシーバに送信するものである。
【０１６５】
バースト幅が変動する適応信号を異なる中心周波数において生成および送信する多くの方式が存在する。多くは、当業者にとって共通の実施である。図３０は、周波数および位相制御ブロック１８０２が、オシレータ１８０３と共に使用され、マルチプレクサブロック１８１２において切り替えられるトランスミッタ１８２２の一部を示す。マルチプレクサ１８１１の後で、ミキサ８０３が、可変バンドパスフィルタ１８０６を通過した後のインパルスジェネレータブロック１８０５によって生成された成形インパルスを組み合わせる。フィルタ１８０６は、フィルタまたはシェーパ（ｓｈａｐｅｒ）が、必要なバーストの生成を容易にすることができるように可変である。フィルタ１８０６を使用して、バンド幅を変更することによって、異なるバンド幅のＲＦバーストを作成することもできる。可変バンド幅ブロックを構築する１つのそのような方式は、バラクタダイオードなどの可変コンデンサを使用する、または可変抵抗を使用するものである。この新しい信号は、任意選択の増幅器８０６を通過して、その後、信号ランチャ１８０４に呈示される。信号ランチャ１８０４は、送信媒体および要件に応じて、異なるように実現することが可能である。たとえば、信号ランチャは、アンテナ、発光ダイオード、レーザダイオード、インピーダンス整合構成要素、増幅器、ダイオード、抵抗、および／またはコンデンサを含むように実現することが可能である。
【０１６６】
２セット以上の制御ブロック１８０２およびオシレータ１８０３を使用して、周波数間において十分迅速に切り替えることのできないシステムに対処する。図３１は、必要なバーストを生成するために、周波数間において迅速に切り替えることができるシステムを示す。これは、可変周波数／位相制御装置１８０２ｃを使用し、マルチプレクサ１８１１の必要性およびブロック１８０２ならびに１８０３の２つ以上の使用を省略することに留意されたい。図３２は、図３１の変形形態であり、この場合、必要なパルスを生成するために、２つ以上のバースト生成回路、すなわち、複数の可変周波数／位相制御装置１８０２ｃ、ミキサ８０３、インパルスジェネレータ１８０５、およびフィルタ１８０６を使用する。マルチプレクサ１８１１は、代わりにＲＦコンバイナと置換することができることに留意されたい。次いで、出力を、任意選択の増幅器８０６および信号ランチャ１８０４に渡すことができる。
【０１６７】
超広帯域マルチバンド信号との特定の使用では、同調可能オシレータの使用は、所望の実施態様が集積回路においてである場合、好ましいバーストジェネレータおよびトランスミッタの実施形態である可能性がある（２００２年９月２６日出願、TUNABLE OSCILLATOR、特許文献４参照）。同調可能オシレータは、様々な遅延線を使用することによって、バーストのバースト幅（占有された周波数スペクトル）および中心周波数に対する制御を有する。
【０１６８】
図２３のレシーバ構造は、一般的なマルチバンドを示す。マルチバンドシステムにおいて１つまたは複数のサブバンドを干渉に柔軟に適応させる方法の適応的性質に対応するために、図２３および３０に基づくレシーバ８２２ａの実施形態を図３３Ａに示す。レシーバフロントエンド８０１の後、複素ミキサ８０３ａが、信号中心周波数を設定するために、可変ローカルオシレータ８０４ａと共に使用される。可変フィルタブロック８０５ａが、受信チャネルのバンド幅を設定するために使用される。フィルタ８０５ａの出力を増幅し（たとえば、増幅器８０６によって）、次いで、検出器１８１３に進めることができる。検出器１８１３の出力は、本発明のいくつかの実施形態による図２５の構成決定ユニット７７７７に結合することが可能であることに留意されたい。ＡＤＣブロックが検出器として使用される場合、可変フィルタおよび増幅器は、図３３Ｂのレシーバ８２２ｃにおいて示すように、デジタル論理において信号をフィルタリングすることができるので、任意選択である。ＡＤＣブロック１８１２およびデジタルフィルタブロック１８１２ａは、フィルタ幅を設定するために使用される。トランスミッタの中心周波数および占有スペクトルを伝達することによって、トランスミッタおよびレシーバを同期させる方法が以前に記述されている。
【０１６９】
図３４は、他のレシーバ８２２ｂの構造である。信号がフロントエンドブロック８０１によって受信された後、スプリッタ２１２３が、ダウンコンバータ（たとえば、複素ミキサ８０３ａ、可変ローカルオシレータ８０４）および検出器（たとえば、可変フィルタ８０５、任意選択増幅器８０６、および検出器１８１３）の多重受信チェーンに信号を渡し、または、上記で記述したように、ダウンコンバータ構成要素を迂回して、ＡＤＣなどの検出器に直接進むことが可能である。スプリッタを使用する動機は、信号オシレータが、入り信号の迅速な検出を見込むように十分迅速に切り替えることができない場合である。
【０１７０】
上記で記述した実施形態と同様に、周波数サブバンド修正またはチャネル構成変更を、図２５の構成決定ユニット７７７７において実施することが可能である。同様に、干渉検出器７７８２は、干渉信号の存在を検出するために使用され、干渉補償器７７８４は、チャネル構成に対する適切な修正を決定する（たとえば、図３５〜４０に従って）。
【０１７１】
周波数バンドにおいて干渉信号を検出し、干渉を補償する（たとえば、干渉バンドを適切に修正することによって）方法のいくつかの実施形態によれば、干渉補償器（たとえば、補償器７７８４）は、新しいチャネル構成に関して良好な決定を行うために、干渉信号について追加の情報をも認識するべきである。たとえば、いくつかの実施形態では、補償器は、干渉信号の中心周波数の推定を認識するべきである。干渉信号の中心周波数の情報は、図３５〜４０に関して記述したように、干渉信号が存在する状態における動作にどの柔軟的手法が最も適切であるかを決定する際に、特に有用である（補償器は、２つ以上の補償技法から選択することが可能であると想定する）。干渉信号の中心周波数は、当技術分野において既知のいくつかの方式で決定することが可能である。
【０１７２】
以下は、干渉信号の中心周波数を決定する方法である。しかし、これらの方法は、各シグナリングバンド内における狭帯域干渉の干渉検出および干渉周波数（中心周波数）の推定の両方に使用することも可能である。したがって、多くの実施形態では、以下の方法は、本明細書において多様に記述されているような干渉検出器において実施することが可能である。代替として、各方法は、他の干渉検出方法による当初の干渉検出後、狭帯域周波数を識別するためにのみ使用することができる。
【０１７３】
図４１は、デジタル信号処理を使用して、各シグナリング周波数バンドにおいて狭帯域干渉を検出および特徴付ける方法を示す。図２９の実施形態と同様に、バンドパスフィルタの出力２５０４は、シンボル検出器２５０６の入力と干渉検出器２５５０との間で切り替えられる。スイッチが、予期されるシンボル間（たとえば、バーストのクラスタ間）の間隔中にデジタル化するために、信号をＡＤＣ２５５２に送信する。ＡＤＣ２５５２のデータレートは、シグナリングバンドのバンド幅の２倍よりわずかに大きいように限定することができる。データは、バッファ２５５４に格納され、次いで、ＦＦＴ２５５６が、スペクトルを直接計算するために適用される。代替として、ＡＤＣ２５５２およびデジタルＦＦＴ２５５６は、任意選択ＦＦＴプロセスによって置換することができる。デジタル論理２５５８が、狭帯域干渉源が存在する１つまたは複数の周波数を決定するために適用される。たとえば、予期される間隔シグナリング中に実施されるエネルギー計算から、閾値を計算することができる。スペクトルがこの閾値を超える周波数が、狭帯域干渉周波数と指定される。干渉検出器２５５０は、検出された干渉、ならびに干渉の中心周波数（干渉周波数）を出力する。
【０１７４】
図４２は、狭帯域干渉源の検出および特徴付けの両方のための、図４１の干渉検出器の代替実施形態のブロック図を示す。フィルタ２５６０が、２乗ブロック２５６２に結合され、２乗ブロック２５６２は、積分器２５６４に結合され、積分器２５６４は、デジタル論理２５６６に結合される。デジタル論理２５６６の出力は、再びフィルタ２５６０に供給される。高速適応狭帯域フィルタ２５６０は、デジタル論理２５６６から供給される信号に基づいて、中心周波数またはバンド幅もしくはその両方に適応することができる高Ｑフィルタを表す。図４３は、超広帯域シグナリングにおいて使用される周波数バンドの１つのシグナリングバンド内にあるｆｎｂにおける狭帯域干渉源を示す。図示した信号バンドフィルタは、シグナリング周波数ｆｓｉｇｎａｌを中心とし、狭帯域周波数とシグナリング周波数との相対位置に応じて、この信号を少量減衰させる。適応フィルタの中心周波数ｆｓｉｇｎａｌは、デジタル論理によって指定された入力に従って移動される。各移動の際に、適応フィルタ２５６０による信号エネルギーの計算が、図４２において実施され（たとえば、ブロック２５６２および２５６４によって）、この値は、デジタル論理２５６６に渡される。適応フィルタの中心周波数およびバンド幅を修正する方式を決定するために使用される論理は、バースト受信の間隔中に受信されることを意図した信号エネルギーの推定を提供する比較信号にも基づく。
【０１７５】
様々な設計を使用して、電圧信号によって制御されるバンド幅を有することができるフィルタ回路を実施することができる。たとえば、一定中心周波数を維持し、同時に、電圧制御抵抗でバンド幅を変更するように、（アクティブ）状態可変フィルタを構築することができる。固定バンド幅を維持し、同時に、電圧制御抵抗で中心周波数を変化させるように、いわゆる４乗フィルタを構築することができる。電圧制御抵抗およびコンデンサの両方を使用して（たとえば、バラクタダイオード）、プログラム可能な中心周波数およびバンド幅を有するフィルタを構築することができる。
【０１７６】
適応バンドパスフィルタ２５６０の中心周波数およびバンド幅を確定するために、デジタル論理２５６６ブロック内において、いくつかのアルゴリズムを使用することができる。たとえば、中心周波数の離散数の体系的探索（たとえば、図４３の番号付け１から１０参照）を使用して、最大エネルギー内容を有する中心周波数を見つけることができる。次いで、周波数変化に対する一周波数ステップ制約を条件として、受信エネルギー（再び、エネルギー計算回路によって測定される）を最大にすることによって、中心周波数のより精確な推定を得ることができる。十分な処理電力により（たとえば、デジタル論理ブロックとしてのマイクロプロセッサにより）、全プロセスを、任意の数の探索および最適化アルゴリズムで実施することができる。代替として、精巧度の可変レベル（および対応する可変構成要素カウント）を有する方法を、離散論理構成要素を使用して実施することができる。図４４は、選択された周波数ステップサイズ（たとえば、図６のステップ１から１０）の分解能内において、狭帯域干渉の中心周波数を識別する不完全な方法を示す。クロックおよびカウンタ２５７０を使用して、シグナリングバンドにわたって適応フィルタの中心周波数をステッピングさせる。各中心周波数において、コンパレータ２５７２が、新しく計算されたエネルギー（ブロック２５６２および２５６４から）が、新しい最大値であるかを判定し、そうである場合、エネルギーの最大値（ラッチ２５７４に格納されている）および周波数のステッピングを確定するために使用されたクロック／カウンタ２５７０からの現行セッティングの両方を更新する。第２ラッチ２５７６に記憶されている時間値は、最大エネルギーが生じた周波数を確定する。この手法に対する変形形態を使用して、２つ以上の狭帯域干渉源が存在する場合、上からＮ個の最も干渉する周波数を見つけることができる。
【０１７７】
このアルゴリズムに対する他の変形形態が可能である。たとえば、周波数のより不完全な初期探索が、より広いバンド幅の適応フィルタ応答で可能である。これには、適応フィルタのバンド幅を狭くすることによって干渉していると選択されるサブバンドにわたるより繊細な探索が続くことができる。代替として、より広い固定バンド幅フィルタ応答を有する中心周波数のより繊細な変更を使用することによって、ピークエネルギー応答の探索を実施することができる。
【０１７８】
干渉のバンド幅は、いくつかの方式で決定することができる。１つの方式は、標準的なブロードバンド通信チャネルに典型的な固定バンド幅を単に選択するものである。このバンド幅は、依然として、ＵＷＢシグナリングバンド幅の比較的小さい一部である。代替として、デジタル論理ブロックに十分な処理電力がある場合、干渉中心周波数を見つけた後、エネルギーに対するバンド幅の傾斜の著しい変化が検出されるまで、バンド幅を増大させることができる。図４５は、この手法の例証を示す。適応フィルタのバンド幅が干渉バンド幅より小さい間、適応フィルタのバンド幅の増大は、受信エネルギーの増大を示す。適応フィルタがすべての狭帯域干渉を捕獲した後、エネルギーの増大は、所望の信号エネルギーのためのみであり、したがって、はるかにより緩慢に増大する。
【０１７９】
記述した実施形態の以上の提示は、当業者が、本発明を主張されるように作成または使用することを可能にするために提供される。これらの実施形態に対する様々な修正が可能であり、本明細書において呈示される一般的な原理は、他の実施形態にも同様に適用することが可能である。本明細書において記述される通信および実施の原理は、無線周波数、マイクロ波、ミリメートル波、および光を含むが、これに限定されない周波数における、有線、無線（たとえば、誘導空間および／または自由空間）、および／または光（たとえば、誘導空間（たとえば、ファイバにおける）および／または自由空間）の伝送チャネル上の通信に適用することが可能である。
【０１８０】
本明細書において記述される実施形態の多くは、複数の広帯域周波数バンドおよび／または超広帯域周波数バンドにおいて、広帯域シグナリングおよび／または超広帯域シグナリングを送信および受信するマルチバンドシステムの文脈にあるが、本明細書において呈示される方法および対応する装置は、狭帯域シグナリングを使用するシステムにおいて実施することが可能である。たとえば、複数周波数バンドのバンド幅が、それぞれの周波数バンドの中心周波数の２％未満であり、通常２％より著しく小さいシグナリングを使用するシステムである。
【０１８１】
本発明は、ハードワイヤード回路および／または特定用途向け集積回路として製造された回路構成として、部分的にまたは全体的に実施することが可能である。本発明は、半導体または他のデジタル信号処理装置またはＦＰＧＡなどの論理要素のアレイによって実行可能な命令であるコードなどのマシン可読コードとして、不揮発性記憶装置（たとえば、ＲＯＭまたはフラッシュＲＡＭもしくはバッテリバックアップＲＡＭ）にロードされたファームウエアプログラム、または、データ記憶媒体（たとえば、半導体または強磁性メモリ（たとえば、ＲＯＭ、プログラム可能ＲＯＭ、動的ＲＡＭ、静的ＲＡＭ、またはフラッシュＲＡＭ）などの読取り専用媒体もしくは書換え可能媒体、または、磁気媒体、光学媒体、もしくは位相変化媒体（たとえば、フロッピーディスク（Ｒ）、ハードディスク、またはＣＤディスク、もしくはＤＶＤディスク））からロードされた、またはデータ記憶媒体にロードされるソフトウエアプログラムとして、部分的にまたは全体的に実施することも可能である。
【０１８２】
たとえば、いくつかの場合、本発明の実施形態による干渉検出および補償方法を含むレシーバの設計アーキテクチャは、特定用途向け集積回路（ＡＳＩＣ）など、集積回路装置において実現することが可能である。そのような設計は、スタンドアロンパッケージ装置として実施する、またはより大規模なシステムＡＳＩＣにコアとして埋め込むことが可能である。本発明のあるそのような実施形態によるアーキテクチャの特徴は、低コスト、低電力、および／または大量生産を可能にするＡＳＩＣ実施態様に役立つ。本発明の実施形態は、半導体技術を発展させることで拡張可能である設計を含むことが可能であり、それにより、性能目標の向上および応用分野を拡大が可能になる。いくつかの場合、全体的なそのようなアーキテクチャは、単一半導体プロセスにおいて実施することが可能であるが、これらの場合でも、単一半導体プロセスに依存するのではなく、設計を複数半導体の技術に移行させることが可能であると考えられる。
【０１８３】
本明細書において示した機能ブロックの多くは、流れ図の多くの示したステップを実施することができる。機能ブロックは、別個の処理構成要素とすることが可能であり、または、物理的な構造において他の機能ブロックと統合することが可能であることを理解されたい。多くの機能ブロックの動作順序は、変更することが可能であり、その場合に規定される機能を依然として適切に実施することが可能であることをさらに理解されたい。
【０１８４】
したがって、本発明は、上記で示した実施形態に限定されることを意図しておらず、本明細書において任意の方式で開示された原理および新しい特徴と矛盾しない最も広い範囲に合致する。
【図面の簡単な説明】
【０１８５】
【図１】通信チャネルの状態を３つのセットとして表示し、それにより、各周波数帯域が、通信プロセスにおいて使用される、利用可能であるが使用されていない、またはバンドにおける干渉のために回避されるべきであるかに応じて、１つのセットのメンバとなることを示す図である。
【図２】１つまたは複数の周波数バンドにおける干渉を検出し、それに適応する流れ図である。
【図３】ＵＷＢマルチバンドレシーバのブロック図である。
【図４】復号器ブロックのブロック図である。
【図５】個々のチャネルシグナリングについてシンボルエラー統計を計算する制御流れ図である。
【図６】送信シンボルが複数のサブバンドからのバーストからなるマルチバンドシグナリング方法のシンボルエラー統計を使用して、サブバンドの干渉を検出する制御流れ図である。
【図７】バースト検出器の例を示す図である。
【図８】ＴＤＭＦシンボルの１つのタイプのシーケンスについて、信号検出器の出力を示す図である。
【図９】マルチバンドシンボルを備える１群のバーストにおける第１周波数バースに基づいて計算されたシンボルエラー統計を使用して、サブバンドの干渉を検出する制御流れ図である。
【図１０】干渉源が使用されている３つのバンドの１つと干渉する状況を示す図である。
【図１１】干渉バンドの使用を停止し、代わりに、以前に未使用であった非干渉バンドを使用することによって干渉源に適応した後の、バンドの使用を示す図である。
【図１２】図１０に示した構成から図１１に示した構成に移行することによるチャネル構成の変化を示す図である。
【図１３】干渉源が使用されている４つのバンドの１つと干渉する状況を示す図である。
【図１４】キャパシティの低減をもたらす干渉バンドの使用を停止することによって干渉源に適応した後の、バンドの使用を示す図である。
【図１５】図１３に示した状態から図１４に示した状態に移行することによるチャネル状態の変化を示す図である。
【図１６】通信リンクが２つの帯域を使用し、一方、第３帯域が干渉に影響を受け、第４帯域が使用されていないことによって維持される状況を示す図である。
【図１７】干渉源が消滅し、装置が性能を、この特定の例ではすべての４つの帯域を使用することによって通信リンクのスループットを増大させた後の、バンドの使用を示す図である。
【図１８】図１６に示した状態から図１７に示した状態に移行することによるチャネル状態の変化を示す図である。
【図１９】周波数サブバンドの同じセット、周波数サブバンドの混合セット、または周波数サブバンドの直交セットを使用して通信するトランシーバの対を示す図である。
【図２０】他の通信リンクに悪影響を与えずに、新しい環境に適応するトランシーバに近いインターフィアラを示す図である。
【図２１】通信装置間で交換される周波数バンド情報の異なる例の表示を示す図である。
【図２２】通信装置間で交換される周波数バンド情報の異なる例の表示を示す図である。
【図２３】一般的なＵＷＢレシーバのブロック図である。
【図２４】ゼロＩＦブロックのアーキテクチャを示す図である。
【図２５】データ転送および干渉の識別および適応を組み込むトランシーバの実施態様の一実施形態のブロック図である。
【図２６】図２５の構成決定ユニットの一実施態様を示す図である。
【図２７】図２５の高位層制御ユニットの一実施形態を示す図である。
【図２８Ａ】事前に分割されたサブバンド信号を有する検出器構造、および専用周波数検出器を有する検出器構造である、検出器構造の様々な実施形態を示す図である。
【図２８Ｂ】事前に分割されたサブバンド信号を有する検出器構造、および専用周波数検出器を有する検出器構造である、検出器構造の様々な実施形態を示す図である。
【図２８Ｃ】事前に分割されたサブバンド信号を有する検出器構造、および専用周波数検出器を有する検出器構造である、検出器構造の様々な実施形態を示す図である。
【図２８Ｄ】事前に分割されたサブバンド信号を有する検出器構造、および専用周波数検出器を有する検出器構造である、検出器構造の様々な実施形態を示す図である。
【図２９】干渉信号を示す特定のサブバンドにおいて過剰エネルギーを検出する回路を含む干渉検出器を含むマルチバンド超広帯域レシーバを示す図である。
【図３０】マルチバンド信号を生成するために、周波数／位相制御装置のいくつかのフィンガを有する可変バンドパスフィルタを使用するトランスミッタブロックを示す図である。
【図３１】マルチバンド信号を生成するために、単一可変周波数／位相制御装置を有する可変バンドパスフィルタを使用するトランスミッタブロックを示す図である。
【図３２】マルチバンド信号を生成するために、可変周波数／位相制御装置のいくつかのフィンガを有する可変バンドパスフィルタを使用するトランスミッタブロックを示す図である。
【図３３Ａ】マルチバンド信号を受信および検出するために、可変ローカルオシレータおよび可変フィルタを使用するレシーバブロックを示す図である。
【図３３Ｂ】マルチバンド信号を受信および検出するために、デジタルフィルタが続く可変ローカルオシレータおよびＡＤＣを使用するレシーバブロックを示す図である。
【図３４】マルチバンド信号を受信および検出するために、可変フィルタが続くスプリッタを使用するレシーバブロックを示す図である。
【図３５】本発明の実施形態による方法が、通信に使用されるバンドを破棄せずに、狭帯域干渉に適応する方式を示す流れ図である。
【図３６】２つのサブバンドにおける干渉によって影響を受けたバンドを、使用されている他のバンドのバンド幅を調節せずに、分割することによって、狭帯域干渉源に適応する方法の一実施形態を示す図である。
【図３７】２つのサブバンドにおける干渉によって提供を受けたバンドを分割し、それにより、使用されている他のバンドのバンド幅を調節することが可能である、狭帯域干渉源に適応する方法の他の実施形態を示す図である。
【図３８】バンド間において干渉源を移動させることに関して、通信に使用されるバンドの中心周波数をシフトさせることによって、狭帯域干渉源に適応する方法の他の実施形態を示す図である。
【図３９】干渉によって影響を受けないバンドを変化させずに、干渉によって影響を受けたバンドのバンド幅を低減することによって、狭帯域干渉源に適応する方法の他の実施形態を示す図である。
【図４０】影響を受けたバンドのバンド幅を変化させ、それにより、その中心周波数、ならびに使用されている他のバンドの中心周波数およびバンド幅をも同様に変化させることが可能である、狭帯域干渉源に適応する方法のさらなる実施形態を示す図である。
【図４１】デジタル信号処理を使用して各シグナリング周波数バンドにおいて狭帯域干渉を検出し、特徴付ける方法を示す図である。
【図４２】図４１の干渉検出器の代替実施形態のブロック図である。
【図４３】広帯域シグナリング方式において使用される周波数バーストの１つについて、シグナリングバンド内の狭帯域干渉源を示す図である。
【図４４】選択された周波数ステップサイズの精細度内において、狭帯域干渉の中心周波数を識別する方法を示す図である。
【図４５】検出された干渉の中心周波数を決定する技法を示す図である。
【図１】
2006503452.tif 000015
【図２】
2006503452.tif 000016
【図３】
2006503452.tif 000017
【図４】
2006503452.tif 000018
【図５】
2006503452.tif 000019
【図６】
2006503452.tif 000020
【図７】
2006503452.tif 000021
【図８】
2006503452.tif 000022
【図９】
2006503452.tif 000023
【図１０】
2006503452.tif 000024
【図１１】
2006503452.tif 000025
【図１２】
2006503452.tif 000026
【図１３】
2006503452.tif 000027
【図１４】
2006503452.tif 000028
【図１５】
2006503452.tif 000029
【図１６】
2006503452.tif 000030
【図１７】
2006503452.tif 000031
【図１８】
2006503452.tif 000032
【図１９】
2006503452.tif 000033
【図２０】
2006503452.tif 000034
【図２１】
2006503452.tif 000035
【図２２】
2006503452.tif 000036
【図２３】
2006503452.tif 000037
【図２４】
2006503452.tif 000038
【図２５】
2006503452.tif 000039
【図２６】
2006503452.tif 000040
【図２７】
2006503452.tif 000041
【図２８Ａ】
2006503452.tif 000042
【図２８Ｂ】
2006503452.tif 000043
【図２８Ｃ】
2006503452.tif 000044
【図２８Ｄ】
2006503452.tif 000045
【図２９】
2006503452.tif 000046
【図３０】
2006503452.tif 000047
【図３１】
2006503452.tif 000048
【図３２】
2006503452.tif 000049
【図３３Ａ】
2006503452.tif 000050
【図３３Ｂ】
2006503452.tif 000051
【図３４】
2006503452.tif 000052
【図３５】
2006503452.tif 000053
【図３６】
2006503452.tif 000054
【図３７】
2006503452.tif 000055
【図３８】
2006503452.tif 000056
【図３９】
2006503452.tif 000057
【図４０】
2006503452.tif 000058
【図４１】
2006503452.tif 000059
【図４２】
2006503452.tif 000060
【図４３】
2006503452.tif 000061
【図４４】
2006503452.tif 000062
【図４５】
2006503452.tif 000063
【国際調査報告】
2006503452.tif 000064